(57)【要約】【課題】従来の駐車料金管理システムの構成を根本的に変更すること無しに、簡易な構成で大幅なコストの負担の増加もなく、且つ適宜に、迅速に、然かも容易に当該駐車料金体系を選択変更出来る駐車場に於ける車両の入出庫管理装置及びその方法を提供する。【解決手段】時間貸し基本とする駐車券と指定期間パス券とを併用して任意にその何れかを選択的に使用する様に構成すると同時に、最初の駐車に際しては、駐車券のみで入庫処理を行い、当該駐車券を途中で指定期間パス券に変更して入出庫処理を行う様にした車両の入出庫管理装置及びその方法。【選択図】図１
2019139335.tif 000002
【特許請求の範囲】
【請求項１】
少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置には、少なくとも、当該入庫ゲート装置の近傍に配置されており、個々の車両の入庫時毎に、当該車両の入庫年月日時刻情報を記録した駐車券を発行する、駐車券取り出し手段を含む駐車券発行手段と、当該出庫ゲート装置の近傍に配置されており、個々の車両の出庫時毎に、当該車両のユーザーから提供される当該駐車券若しくは、後述する駐車料金事前支払済証が挿入される駐車券若しくは駐車料金事前支払済証挿入手段を含み、且つ、当該駐車券若しくは駐車料金事前支払済証挿入手段に受け入れられた当該駐車券から、当該車両が入庫した年月日時刻情報と当該車両が当該駐車場を出庫する出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が認識された場合に、当該出庫ゲートを開放する様に構成された出庫管理操作手段と、当該入庫ゲート装置と当該出庫ゲート装置との何れにも近接していない任意の部位に設けられており、当該車両の出庫予定時間の直前、若しくは予め設定された時間以前に、当該車両のユーザーから提供される当該駐車券を受け入れる駐車券挿入手段を含み、当該挿入された当該駐車券が保持する当該車両が入庫した入庫年月日時刻情報と当該車両が当該駐車場から出庫する予定日の出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を発行する駐車料金事前支払済証発行手段を含む事前駐車料金精算手段と、が設けられている車両の入出庫管理装置に於いて、当該事前駐車料金精算手段には、更に、当該車両のユーザーが、複数の指定期間パス券の中から一つの指定期間パス券を任意に選択指定出来る指定期間パス券選択手段と、当該指定期間パス券選択手段の動作に応答して、当該選択された指定期間パス券の購入価格を表示する指定期間パス券価格表示手段と、当該指定期間パス券価格表示手段に表示された当該指定期間パス券価格料金に相当する料金の入金受入手段と、当該入金受入手段に当該指定期間パス券価格料金の入金が有ったとの判断があった場合に、当該車両のユーザーから既に提供されている当該駐車券を上書処理して指定期間パス券に変更して当該車両のユーザー返却する機能を有する指定期間パス券発券手段とが設けられていると共に、当該出庫管理操作手段には、更に、指定期間パス券に対する認識手段が付加されており、当該指定期間パス券が提供された場合には、当該指定期間パス券の有効期限年月日時刻情報から当該指定期間パス券が有効か否かを判断し、有効である場合のみ、当該指定期間パス券を当該車両のユーザー返却後、当該出庫ゲートを開放する操作を実行する手段が含まれている様に構成されていることを特徴とする駐車場に於ける車両の入出庫管理装置。
【請求項２】
当該駐車券には、当該駐車券のシリアルナンバーと、車両の入庫年月日時刻情報及び入出庫状態フラグ情報の少なくともいずれかが記録されている事を特徴とする請求項１に記載の車両の入出庫管理装置。
【請求項３】
当該駐車券には、更に、当該駐車券が、通常駐車券か、指定期間パス券かを識別する為のフラグ及び又は指定期間パス券の場合に於ける有効期限年月日時刻情報が記録されている事を特徴とする請求項２に記載の車両の入出庫管理装置。
【請求項４】
当該指定期間パス券には、元の駐車券の発券時のシリアルナンバーと、元の駐車券の発券時の入庫年月日時刻情報と元の駐車券に於ける入出庫状態フラグ情報並びに、当該元の駐車券を当該指定期間パス券に上書き変更処理する時点迄の駐車時間に対応する駐車料金の額の情報が記載されていると共に、当該指定期間パス券識別フラグ情報及び当該指定期間パス券の有効期限情報とが記録されている事を特徴とする請求項１乃至３の何れかに記載の車両の入出庫管理装置。
【請求項５】
当該出庫管理操作手段には、更に、当該車両のユーザーから提供された当該指定期間パス券の有効期限が期限超過により無効であると判断された場合に於いて、当該指定期間パス券が当該出庫管理操作手段に提供された時点での年月日時刻情報と当該指定期間パス券の最終有効期限年月日時刻情報との差分を求め、当該差分値に相当する超過駐車料金を算出する演算手段と、当該算出された超過駐車料金を表示する為に当該出庫管理操作手段に別途設けられた当該超過駐車料金表示手段と、当該超過駐車料金に相当する料金の入金受入手段と、当該入金受入手段に当該超過駐車料金に相当する料金の入金が有ったとの判断があった場合に、当該出庫ゲートを開放する操作を実行する出庫ゲート開放手段とが設けられていることを特徴とする事を特徴とする請求項１乃至４の何れかに記載の駐車場に於ける車両の入出庫管理装置。
【請求項６】
当該事前駐車料金精算手段及び又は当該出庫管理操作手段には、所定の料金受入手段とつり銭返還手段と領収書発行手段の少なくとも一つが設けられている事を特徴とする請求項１乃至５の何れかに記載の駐車場に於ける車両の入出庫管理装置。
【請求項７】
当該駐車料金発券手段、当該出庫管理操作手段及び当該事前駐車料金精算手段に於ける所定料金の支払いに、現金カード或いはインターネットバンキングによる支払い方法が使用される事を特徴とする請求項１乃至６の何れかに記載の駐車場に於ける車両の入出庫管理装置。
【請求項８】
当該駐車券取り出し手段を含む当該駐車券発行手段に、当該指定期間パス券を受入れる指定期間パス券挿入手段と、当該指定期間パス券挿入手段に、新たに当該指定期間パス券が挿入された時点での年月日時刻情報と、当該指定期間パス券が保持している当該指定期間パス券の有効期限年月日時刻情報とを比較して、当該新たに挿入されてきた当該指定期間パス券が有効であるか否かを判断する指定期間パス券有効性判定手段とが更に設けられており、当該有効性判定手段に於いて、当該指定期間パス券が有効と判断された場合に限り、当該指定期間パス券を当該車両のユーザーに返却する指定期間パス券返却手段と当該入庫ゲートを開放する為の入庫指示手段とが設けられている事を特徴とする請求項１乃至７の何れかに記載の駐車場に於ける車両の入出庫管理装置。
【請求項９】
少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置には、少なくとも、当該入庫ゲート装置の近傍に配置されており、個々の車両の入庫時毎に、当該車両の入庫日年月日時刻情報及を記録した駐車券を発行する、駐車券取り出し手段を含む駐車券発行手段と、当該出庫ゲート装置の近傍に配置されており、個々の車両の出庫時毎に、当該車両のユーザーから提供される当該駐車券若しくは、後述する駐車料金事前支払済証が挿入される、駐車券若しくは駐車料金事前支払済証挿入手段を含み、且つ、当該駐車券若しくは駐車料金事前支払済証挿入手段に受け入れられた当該駐車券から、当該車両が入庫した入庫年月日時刻情報と、当該車両が当該駐車場を出庫する時点での出庫年月日時刻情報とから別途に決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が有った事が認識された場合に、当該出庫ゲートを開放する様に構成された出庫管理操作手段と、当該入庫ゲート装置と当該出庫ゲート装置との何れにも近接していない任意の部位に設けられており、当該車両の出庫予定時間の直前、若しくは予め設定された時間以前に、当該車両のユーザーから提供される当該駐車券を受け入れる駐車券挿入手段を含み、当該挿入された当該駐車券が保持する、当該車両が入庫した入庫年月日時刻情報と当該車両が当該駐車場を出庫する予定日に関する出庫年月日時刻情報とから、別途に決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を発行する事前駐車料金精算手段と、が設けられている車両の入出庫管理装置に於いて、当該車両のユーザーが、既に所有する当該駐車券を当該事前駐車料金精算手段に於ける当該駐車券挿入手段内に挿入する際に、複数の指定期間パス券の中から一つの指定期間パス券を任意に選択指定出来る様に構成されている指定期間パス券選択手段を、当該車両のユーザーが自己の意思により選択的に操作する第１の工程、当該第１の工程の後に、当該車両のユーザーが、当該事前駐車料金精算手段に別途設けられている指定期間パス券表示手段に表示される当該選択された指定期間パス券の購入価格に相当する料金の支払いを実行させる第２の工程、当該第２の工程に引き続き、当該車両のユーザーが、当該指定期間パス券の購入価格に相当する料金の支払いを完了させた場合には、当該車両のユーザーが既に所有する当該駐車券を、当該駐車券が既に記憶している当該車両の入庫年月日時刻情報を維持したまま、当該車両の当該入庫年月日時刻情報を起算時刻とする指定期間の有効期限年月日時刻情報を持った指定期間パス券として上書き変更処理する第３の工程、当該指定期間パス券を当該車両のユーザーに返却する第４の工程、当該車両のユーザーが当該出庫ゲート手段の当該駐車券若しくは当該駐車料金事前支払済証の挿入手段に当該指定期間パス券を挿入する第５の工程、当該出庫管理操作手段に別途設けられている当該指定期間パス券識別手段に於いて、当該指定期間パス券の有効期限を判定する第６の工程、当該第６の工程に於いて、当該指定期間パス券の有効期限が未だ有効であると判断された場合にのみ当該指定期間パス券を当該車両のユーザーに返却した後、当該出庫ゲートのゲートを開放して、当該車両の出庫を許可する第７の工程、その後、当該車両のユーザーが同一駐車場に再入庫するに際して、当該車両のユーザーが、当該入庫ゲート装置に別途に設けられている当該駐車券発券手段に於ける指定期間パス券挿入手段に、当該指定期間パス券を挿入する第８の工程、当該駐車券発券手段に別途に設けられた当該指定期間パス券認識手段において、当該指定期間パス券の有効期限が有効であるか否かを判断し、当該有効期限が有効であると判断された場合にのみ、当該指定期間パス券に、再入庫時の再入庫年月日時刻情報を追加記録して、当該指定期間パス券を当該車両のユーザーに返却する第９の工程、当該車両のユーザーが出庫する際に、当該車両１のユーザーが、当該指定期間パス券を当該出庫管理操作手段に於ける、当該駐車券若しくは当該駐車料金事前支払済証の挿入手段に挿入する第１０の工程、当該出庫管理操作手段に別途設けられている当該指定期間パス券識別手段に於いて、当該指定期間パス券の有効期限を判定する第１１の工程、当該第１１の工程に於いて、当該指定期間パス券の有効期限が未だ有効であると判断された場合にのみ当該指定期間パス券を当該車両のユーザーに返却した後、当該出庫ゲートのゲートを開放して、当該車両の出庫を許可する第１２の工程、その後、当該指定期間パス券の有効期限が無効と判断される時点まで、当該第８の工程乃至当該第１２の工程までの各工程が繰り返えされることを許可する第１３の工程とから構成されている事を特徴とする車両の入出庫管理方法。
【請求項１０】
当該駐車券には、当該駐車券のシリアルナンバーと、車両の出庫年月日時刻情報及び入出庫状態フラグ情報の少なくともいずれかが記録されている事を特徴とする請求項９に記載の車両の入出庫管理方法。
【請求項１１】
当該指定期間パス券の有効期限が無効と判断された場合には、当該指定期間パス券の有効期限年月日時刻情報と当該車両の出庫処理操作時点における年月日時刻情報とから、当該指定期間パス券の有効期限年月日時刻以降で、当該車両の出庫処理操作が実行された出庫年月日時刻までの超過駐車時間を求め、当該超過駐車時間に相当する追加駐車料金情報を所定の当該駐車料金表示手段に表示させると共に、当該車両のユーザーに対して、当該追加駐車料金に相当する料金を追加支払い処理するよう要請する第１４の工程が更に付加されている事を特徴とする請求項９または１０に記載の車両の入出庫管理方法。
【請求項１２】
当該駐車券には、更に、当該駐車券が、通常駐車券か指定期間パス券か或いは駐車料金事前支払済証であるかを識別する為のフラグ及び又は当該駐車券が、当該指定期間パス券の場合に於ける有効期限情報が記録されている事を特徴とする請求項９乃至１１の何れかに記載の車両の入出庫管理方法。
【請求項１３】
当該駐車券若しくは当該指定期間パス券には、当該駐車券のシリアルナンバーと、当該車両の入庫年月日時刻情報及び入出庫状態フラグ情報の少なくともいずれかが記録されている事を特徴とする請求項９乃至１２の何れかに記載の車両の入出庫管理方法
【請求項１４】
当該駐車券若しくは当該指定期間パス券には、当該駐車券が、通常の時間貸し方式の駐車券か指定期間パス券かを識別する為のフラグ情報及び当該駐車券が当該指定期間パス券の場合に於ける有効期限情報が記録されている事を特徴とする請求項９乃至１３の何れかに記載の車両の入出庫管理方法。
【請求項１５】
当該指定期間パス券には、元の駐車券の発券時のシリアルナンバーと、元の駐車券の発券時の入庫年月日時刻情報時と、元の駐車券に於ける入出庫状態フラグ情報並びに、当該元の駐車券を当該指定期間パス券に上書き変更処理する時点迄の駐車時間に対応する駐車料金の額の情報が記載されていると共に、当該指定期間パス券識別フラグ情報及び当該指定期間パス券の有効期限年月日時刻情報が記録されている事を特徴とする請求項９乃至１４の何れかに記載の車両の入出庫管理方法。
【請求項１６】
当該駐車券が当該指定期間パス券に変更された場合に、当該元の駐車券に記載されて入庫時間から、当該変更処理時点までに発生した駐車時間情報は、以後の当該車両による入出庫処理に際しては無視される事を特徴とする請求項９乃至１５の何れかに記載の車両の入出庫管理方法。
【請求項１７】
当該出庫管理操作手段に於いて、当該車両のユーザーから提供された当該指定期間パス券の有効期限が期限超過により無効であると判断された場合に、当該指定期間パス券が当該出庫管理操作手段に提供された時点に於ける年月日時刻情報と当該指定期間パス券の最終有効期限年月日時刻情報との差分を求め、当該差分値に相当する超過駐車料金を算出する工程と、当該算出された超過駐車料金を、当該出庫管理操作手段に別途設けられた当該超過駐車料金表示手段に表示する工程と、該超過駐車料金に相当する料金を受入れ、当該該超過駐車料金に相当する料金の入金が有ったとの判断があった場合に、当該出庫ゲートを開放する工程とが実行される事を特徴とする請求項９乃至１６の何れかに記載の駐車場に於ける車両の入出庫管理方法。
【請求項１８】
当該事前駐車料金精算手段及び又は当該出庫管理操作手段には、所定の料金受入手段とつり銭返還手段と領収書発行手段の少なくとも一つを設ける事を特徴とする請求項９乃至１７の何れかに記載の駐車場に於ける車両の入出庫管理方法。
【請求項１９】
当該駐車料金発券手段、当該出庫管理操作手段及び当該事前駐車料金精算手段に於ける所定料金の支払いに、現金カード或いはインターネットバンキングによる支払い方法が使用される事を特徴とする請求項９乃至１８の何れかに記載の駐車場に於ける車両の入出庫管理方法。
【請求項２０】
当該駐車券取り出し手段を含む当該駐車券発行手段に、当該指定期間パス券を受入れる指定期間パス券挿入手段と、当該指定期間パス券挿入手段に新たに当該指定期間パス券が挿入された時点での年月日時刻情報と、当該指定期間パス券が保持している当該指定期間パス券の有効期限年月日時刻情報とを比較して、当該新たに挿入されてきた当該指定期間パス券が有効であるか否かを判断する有効性判定手段とが更に設けられており、当該有効性判定手段に於いて、当該指定期間パス券が有効と判断された場合に限り、当該指定期間パス券を当該車両のユーザーに返却する手段と当該入庫ゲートを開放する為の入庫指示手段とが設けられている事を特徴とする請求項９乃至１９の何れかに記載の駐車場に於ける車両の入出庫管理方法。
【請求項２１】
当該出庫管理操作手段に於いて、当該車両１のユーザーから提供された当該指定期間パス券の有効期限が期限超過により無効であると判断された場合に、当該指定期間パス券が当該出庫管理操作手段に提供された年月日時刻情報と当該指定期間パス券に記憶されている最終有効期限年月日時刻情報との差分を求め、当該差分値に相当する超過駐車料金を算出する工程と、当該算出された超過駐車料金を、当該出庫管理操作手段に別途設けられた当該超過駐車料金表示手段に表示する工程と、該超過駐車料金に相当する料金を受入れ、当該該超過駐車料金に相当する料金の入金が有ったとの判断があった場合に、当該指定期間パス券を回収すると同時に、当該出庫ゲート４を開放する工程とが実行される様に構成されている事を特徴とする請求項９乃至２０の何れかに記載の駐車場に於ける車両の入出庫管理方法。
【発明の詳細な説明】
【技術分野】
【０００１】
本発明は、駐車場の車両入出庫管理装置及びその方法に関するものであり、特に詳しくは、当該駐車場の管理方法として、当該車両が当該駐車場内に駐車していた時間に依存した駐車料金を支払う様に構成された通常の駐車料金である、時間貸し駐車券を使用するシステムを採用する当該駐車場に於いて、当該車両のユーザーが当該車両を当該駐車場に最初に入庫させた際に発行され、当該ユーザーが取得している当該時間貸し駐車券を、必要に応じて選択的に、所望の指定期間中、自由に入出庫が認められる指定期間パス券に容易且つ経済的に変更することを可能にする駐車場の車両入出庫管理装置及びその方法に関するものである。
【背景技術】
【０００２】
従来から、車両を所定の駐車場内に入庫させたり出庫させたりした際に、車両のユーザーから所定の駐車料金を徴収して利益を確保する為の駐車場の車両入出庫管理システムは古くから知られており、その為の多くの公知技術が公開され、実際に使用されて来ている。
例えば、一般的には、所定の様式の時間貸しを基本とする駐車券を使用する方法が多く知られており、例えば、特開昭６１−２４０３９０号公報（特許文献１）や特開２０１３−２１８６４１号公報（特許文献２）等が知られており、又、当該時間貸し駐車券の替わりとして、回数券を使用した車両入出庫管理システムとしては、特開２０１１−１３４０３６公報（特許文献３）が知られており、又、当該時間貸し駐車券の替わりとして、予め定められた期間内、例えば１２時間とか指定期間、或いは数日間の間、自由に車両が当該駐車場内に入出庫できる様に設計された定期券若しくは、パス券を使用した車両入出庫管理システムとしては、特開２００６−０５９２０８号公報（特許文献４）が知られている。
【０００３】
一方、特開２００７−２０００５６号公報（特許文献５）には、定期券と時間貸し駐車券とを併用して使用した車両入出庫管理システムが開示されており、又、特許第４８３４３３２号公報（特許文献６）に、当該時間貸し駐車券と当該回数券と当該定期券とを単独或いは併用して使用する様に構成された車両入出庫管理システムが開示されている。
処で、当該特許文献５或いは当該特許文献６に開示されている当該車両入出庫管理システムに於いては、当該駐車場を利用する車両のユーザーの好み或いはそのニーズや経済的必然性等から、当該駐車場の入出庫管理に際して、複数種類のメニューを予め用意しておく事は、車両のユーザーの選択の幅を広げる事になり、経営戦略としては、好ましい方法と考えられる。
然しながら、その反面、当該駐車場の入出庫管理に際して、複数種類のメニューを予め用意しておく事は、当該駐車場に於ける配備設備の増大化と複数種類の制御プログラムの作成とそれらの個々の処理工程の複雑化を招き、作業効率の低下と設備コスト及び将来に亘る維持管理コストの増大化を来たすという問題が発生する。
更には、使用される当該時間貸し駐車券や当該回数券或いは当該定期券等の利用に際して、中途乗換え、つまり、当初は時間貸し駐車券を使用して当該駐車場の入出庫管理操作がスタートしたが、その後、当該時間貸し駐車券の使用を、例えば定期券の使用に切り替える等のシステム変更が行われると、当所使用していた当該時間貸し駐車券用紙が不要となる為、廃棄処分され、別途新たに当該定期券用紙を購入使用する必要が発生し、その分無駄なコストの浪費が行われる事になり、経済性を損なう要因の一つとなる事は明らかである。
【０００４】
一方、当該車両のユーザーが、最初は時間貸し駐車券を使用して当該駐車場の入出庫の利用をスタートしたが、その後、当該駐車場の利便性に気がついて、回数券方式或いは定期券若しくは所定時間内のパス券を採用して、その後、当該駐車場に対して自由に何回も入出庫したいと希望する場合も多く見られ、又その様な方法を採る事によって、従来の時間貸し駐車券を使用して当該駐車場の入出庫を繰り返し、その都度、個別に当該時間貸し駐車券を使用して個別にその際の駐車料金を支払う方法に比べて大幅に当該１日に於ける総合的駐車料金を削減出来る可能性が多いもの事実である。
係る背景から、従来の公知技術を有効に利用しながら、当該駐車場の設備費並びに維持保全コストを低減させ、且つ、当該駐車券や、定期券或いは回数券の使用中断により発生する無効駐車券、定期券或いは回数券の廃棄量を大幅に低減させる事により、作業効率の向上と総合的な駐車料金の低減化を実現出来る新たな車両入出庫管理方法或いはその装置の開発が要望されている。
【先行技術文献】
【特許文献】
【０００５】
【特許文献１】特開昭６１−２４０３９０号公報
【特許文献２】特開２０１３−２１８６４１号公報
【特許文献３】特開２０１１−１３４０３６公報
【特許文献４】特開２００６−０５９２０８号公報
【特許文献５】特開２００７−２０００５６号公報
【特許文献６】特許第４８３４３３２号公報
【発明の概要】
【発明が解決しようとする課題】
【０００６】
従って、本発明の目的は、上記した従来の問題を解決すると共に、従来の駐車料金管理システムを設備構成を含めて、根本的に変更すること無しに、簡易な構成で大幅なコストの負担の増加もなく、且つ適宜に、迅速に、然かも容易に当該駐車料金体系を選択変更出来る様に構成することによって、当該駐車場経営者側の経営環境を改善すると共に、ユーザー側の利用メリットを向上させる効果も達成出来る駐車場に於ける車両の入出庫管理装置及びその方法を提供するものである。
【課題を解決するための手段】
【０００７】
本発明は、上記した目的を達成するために、基本的には、以下に記載されたような技術構成を採用するものである。
即ち、本発明に係わる駐車場管理システムに関する第１の態様は、少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置には、少なくとも、当該入庫ゲート装置の近傍に配置されており、個々の車両の入庫時毎に、当該車両の入庫年月日時刻情報を記録した駐車券を発行する、駐車券取り出し手段を含む駐車券発行手段と、当該出庫ゲート装置の近傍に配置されており、個々の車両の出庫時毎に、当該車両のユーザーから提供される当該駐車券若しくは、後述する駐車料金事前支払済証が挿入される駐車券若しくは駐車料金事前支払済証挿入手段を含み、且つ、当該駐車券若しくは駐車料金事前支払済証挿入手段に受け入れられた当該駐車券から、当該車両が入庫した年月日時刻情報と当該車両が当該駐車場を出庫する出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が認識された場合に、当該出庫ゲートを開放する様に構成された出庫管理操作手段と、当該入庫ゲート装置と当該出庫ゲート装置との何れにも近接していない任意の部位に設けられており、当該車両の出庫予定時間の直前、若しくは予め設定された時間以前に、当該車両のユーザーから提供される当該駐車券を受け入れる駐車券挿入手段を含み、当該挿入された当該駐車券が保持する当該車両が入庫した入庫年月日時刻情報と当該車両が当該駐車場から出庫する予定日の出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を発行する事前駐車料金精算手段と、が設けられている車両の入出庫管理装置に於いて、当該事前駐車料金精算手段には、更に、当該車両のユーザーが、複数の指定期間パス券の中から一つの指定期間パス券を任意に選択指定出来る指定期間パス券選択手段と、当該指定期間パス券選択手段の動作に応答して、当該選択された指定期間パス券の購入価格を表示する指定期間パス券価格表示手段と、当該指定期間パス券価格表示手段に表示された当該指定期間パス券価格料金に相当する料金の入金受入手段と、当該入金受入手段に当該指定期間パス券価格料金の入金が有ったとの判断があった場合に、当該車両のユーザーから既に提供されている当該駐車券を上書処理して指定期間パス券に変更して当該車両のユーザー返却する機能を有する指定期間パス券発券手段とが設けられていると共に、当該出庫管理操作手段には、更に、指定期間パス券に対する認識手段が付加されており、当該指定期間パス券が提供された場合には、当該指定期間パス券の有効期限年月日時刻情報から当該指定期間パス券が有効か否かを判断し、有効である場合のみ、当該指定期間パス券を当該車両のユーザー返却後、当該出庫ゲートを開放する操作を実行する手段が含まれている様に構成されていることを特徴とする駐車場に於ける車両の入出庫管理装置であり、又、本発明に係わる駐車場管理システムに関する第２の態様は、少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置には、少なくとも、当該入庫ゲート装置の近傍に配置されており、個々の車両の入庫時毎に、当該車両の入庫日年月日時刻情報及を記録した駐車券を発行する、駐車券取り出し手段を含む駐車券発行手段と、当該出庫ゲート装置の近傍に配置されており、個々の車両の出庫時毎に、当該車両のユーザーから提供される当該駐車券若しくは、後述する駐車料金事前支払済証が挿入される、駐車券若しくは駐車料金事前支払済証挿入手段を含み、且つ、当該駐車券若しくは駐車料金事前支払済証挿入手段に受け入れられた当該駐車券から、当該車両が入庫した入庫年月日時刻情報と、当該車両が当該駐車場を出庫する時点での出庫年月日時刻情報とから別途に決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が有った事が認識された場合に、当該出庫ゲートを開放する様に構成された出庫管理操作手段と、当該入庫ゲート装置と当該出庫ゲート装置との何れにも近接していない任意の部位に設けられており、当該車両の出庫予定時間の直前、若しくは予め設定された時間以前に、当該車両のユーザーから提供される当該駐車券を受け入れる駐車券挿入手段を含み、当該挿入された当該駐車券が保持する、当該車両が入庫した入庫年月日時刻情報と当該車両が当該駐車場を出庫する予定日に関する出庫年月日時刻情報とから、別途に決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を発行する事前駐車料金精算手段と、が設けられている車両の入出庫管理装置に於いて、当該車両のユーザーが、既に所有する当該駐車券を当該事前駐車料金精算手段に於ける当該駐車券挿入手段内に挿入する際に、複数の指定期間パス券の中から一つの指定期間パス券を任意に選択指定出来る様に構成されている指定期間パス券選択手段を、当該車両のユーザーが自己の意思により選択的に操作する第１の工程、当該第１の工程の後に、当該車両のユーザーが、当該事前駐車料金精算手段に別途設けられている指定期間パス券表示手段に表示される当該選択された指定期間パス券の購入価格に相当する料金の支払いを実行させる第２の工程、当該第２の工程に引き続き、当該車両のユーザーが、当該指定期間パス券の購入価格に相当する料金の支払いを完了させた場合には、当該車両のユーザーが既に所有する当該駐車券を、当該駐車券が既に記憶している当該車両の入庫年月日時刻情報を維持したまま、当該車両の当該入庫年月日時刻情報を起算時刻とする指定期間の有効期限年月日時刻情報を持った指定期間パス券として上書き変更処理する第３の工程、当該指定期間パス券を当該車両のユーザーに返却する第４の工程、当該車両のユーザーが当該出庫ゲート手段の当該駐車券若しくは当該駐車料金事前支払済証の挿入手段に当該指定期間パス券を挿入する第５の工程、当該出庫管理操作手段に別途設けられている当該指定期間パス券識別手段に於いて、当該指定期間パス券の有効期限を判定する第６の工程、当該第６の工程に於いて、当該指定期間パス券の有効期限が未だ有効であると判断された場合にのみ当該指定期間パス券を当該車両のユーザーに返却した後、当該出庫ゲートのゲートを開放して、当該車両の出庫を許可する第７の工程、その後、当該車両のユーザーが同一駐車場に再入庫するに際して、当該車両のユーザーが、当該入庫ゲート装置に別途に設けられている当該駐車券発券手段に於ける指定期間パス券挿入手段に、当該指定期間パス券を挿入する第８の工程、当該駐車券発券手段に別途に設けられた当該指定期間パス券認識手段において、当該指定期間パス券の有効期限が有効であるか否かを判断し、当該有効期限が有効であると判断された場合にのみ、当該指定期間パス券に、再入庫時の再入庫年月日時刻情報を追加記録して、当該指定期間パス券を当該車両のユーザーに返却する第９の工程、当該車両のユーザーが出庫する際に、当該車両１のユーザーが、当該指定期間パス券を当該出庫管理操作手段に於ける、当該駐車券若しくは当該駐車料金事前支払済証の挿入手段に挿入する第１０の工程、当該出庫管理操作手段に別途設けられている当該指定期間パス券識別手段に於いて、当該指定期間パス券の有効期限を判定する第１１の工程、当該第１１の工程に於いて、当該指定期間パス券の有効期限が未だ有効であると判断された場合にのみ当該指定期間パス券を当該車両のユーザーに返却した後、当該出庫ゲートのゲートを開放して、当該車両の出庫を許可する第１２の工程、その後、当該指定期間パス券の有効期限が無効と判断される時点まで、当該第８の工程乃至当該第１２の工程までの各工程が繰り返えされることを許可する第１３の工程とから構成されている事を特徴とする車両の入出庫管理方法である。
【発明の効果】
【０００８】
本発明に係る当該駐車場に於ける車両入出庫管理装置及び当該駐車場に於ける車両入出庫管理方法は、上記した様な、新規性かつ進歩性の大なる技術構成を採用したことによって、従来技術の問題点を解決すると共に、従来に於ける当該駐車場の車両入出庫管理システムを根本的に変更すること無しに、簡易な構成で大幅なコストの負担もなく、且つ適宜に迅速に然かも容易に当該駐車料金体系を選択変更出来る様に構成することによって、当該駐車場経営者側の経営環境を改善すると共に、ユーザー側の利用メリットを向上させる効果も達成出来る駐車場に於ける車両の入出庫管理装置及びその方法を提供する事が出来る出という優れた作用効果を発揮するものである。
【０００９】
更に、本発明に於いては、従来の既存の設備の多くを共用し、兼用して使用する為、新たに設置を必要とする装置・部材に係るコストを大幅に低減させる事が可能であり、更には、本発明に於いて使用される各種のカード状の券類は、全て同一の材料・基材を繰り返し使い廻す為、実施的に破損して使用が不可能となった券類を除いては、廃棄処分される券類が存在しない為、完全リサイクルシステムを完成することになるので、廃棄処分に係るコストの低減と環境に優しいエコ指向タイプの駐車場に於ける車両の入出庫管理装置及びその方法を提供する事が可能となるのである。
【図面の簡単な説明】
【００１０】
【図１】図１は、本発明に係る車両の入出庫管理装置の一具体例の構成の概要を示すブロック図である。
【図２】図２は、本発明に於いて使用される駐車券発券手段の一具体例の構成の概要を示すブロック図である。
【図３】図３は、本発明に於いて使用される出庫管理操作手段の一具体例の構成の概要を示すブロック図である。
【図４】図４は、本発明に於いて使用される事前駐車料金精算手段の一具体例の構成の概要を示すブロック図である。
【図５】図５は、本発明に於いて使用される各平板状のカード基板に共通して設けられているフォーマット部の一具体例の構成の概要を示すブロック図である。
【図６】図６は、本発明に於いて使用される当該平板状カード基板の当該フォーマット部に書込み記録される情報の例を示すブロック図である。
【図７】図７は、従来の駐車券発券手段の一具体例の構成の概要を示すブロック図である。
【図８】図８は、従来の出庫管理操作手段の一具体例の構成の概要を示すブロック図である。
【図９】図９は、従来の事前駐車料金精算手段の一具体例の構成の概要を示すブロック図である。
【図１０】図１０は、本発明で使用される入庫処理操作の手順の一具体例を示すフローチャートある。
【図１１】図１１は、本発明に於ける入庫処理工程で使用される駐車券のフォーマット部の情報記録状況の一具体例とその印刷表示領域部の表示例を示す図である。
【図１２】図１２は、本発明で使用される出庫処理操作の手順の一具体例を示すフローチャートある。
【図１３】図１３は、本発明に於ける出庫処理工程で使用される指定期間パス券のフォーマット部の情報記録状況の一具体例とその印刷表示領域部の表示例を示す図である。
【図１４】図１４は、本発明に於いて、事前駐車料金精算手段を利用して駐車券から指定期間パス券に変更する場合の処理操作の手順の一具体例を示すフローチャートある。
【図１５】図１５は、本発明に於いて、事前駐車料金精算手段を利用して駐車券から指定期間パス券に変更する場合の、指定期間パス券のフォーマット部の情報記録状況の一具体例とその印刷表示領域部の表示例を示す図である。
【図１６】図８は、本発明に於いて、事前駐車料金精算手段を利用して駐車券から駐車料金事前支払済証に変更する場合の処理操作の手順の一具体例を示すフローチャートある。
【図１７】図１７は、本発明に於いて、事前駐車料金精算手段を利用して駐車券から駐車料金事前支払済証に変更する場合の、駐車料金事前支払済証のフォーマット部の情報記録状況の一具体例とその印刷表示領域部の表示例を示す図である。
【図１８】図１８は、本発明に於いて、指定期間パス券を使用して再入庫する場合の再入庫処理操作の手順の一具体例を示すフローチャートある。
【図１９】図１９は、本発明に於ける再出庫処理工程で使用される指定期間パス券のフォーマット部の情報記録状況の一具体例とその印刷表示領域部の表示例を示す図である。
【発明を実施するための形態】
【００１１】
以下に、本発明に於ける当該駐車場に於ける車両の入出庫管理装置及び当該駐車場に於ける車両の入出庫管理方法に付いて、図面を参照しながら詳細に説明する。
先ず、最初に、本発明にかかる当該第１の態様である当該駐車場に於ける車両の入出庫管理装置の具体的な構成の例についてその概要を説明する。
即ち、図１は、本発明に係る当該駐車場に於ける車両の入出庫管理装置１００の構成の一具体例を示すブロック図である。
【００１２】
つまり、図１において、少なくとも、車両１が駐車場２に入庫する為の入庫ゲート装置３と当該車両１が当該駐車場２から出庫する為の出庫ゲート装置４とが設けられている駐車場２に於ける車両１の入出庫管理装置１００であって、当該車両１の入出庫管理装置１００には、少なくとも、当該入庫ゲート装置３の近傍に配置されており、個々の車両１の入庫時毎に、当該車両１の入庫年月日時刻情報を記録した駐車券５を発行する、駐車券取り出し手段４１を含む駐車券発行手段６と、当該出庫ゲート装置４の近傍に配置されており、個々の車両１の出庫時毎に、当該車両１のユーザーから提供される当該駐車券５若しくは、後述する駐車料金事前支払済証８０が挿入される駐車券若しくは駐車料金事前支払済証挿入手段３０を含み、且つ、当該駐車券若しくは駐車料金事前支払済証挿入手段３０に受け入れられた当該駐車券５から、当該車両１が入庫した年月日時刻情報と、当該車両１が当該駐車場２を出庫する出庫年月日時刻情報とから別途決定される当該車両１の駐車時間に対応する駐車料金を表示する駐車料金表示手段３１と、当該駐車料金表示手段３１に表示された当該駐車料金に相当する駐車料金の入金受入手段３２と、当該入金受入手段３２に当該駐車料金の入金が有ったとの判定があった場合、若しくは、当該駐車料金事前支払済証８０の挿入が認識された場合に、当該出庫ゲート４を開放する様に構成された出庫管理操作手段１１と、当該入庫ゲート装置３と当該出庫ゲート装置４との何れにも近接していない任意の部位に設けられており、当該車両１の出庫予定時間の直前、若しくは予め設定された時間以前に、当該車両１のユーザーから提供される当該駐車券５を受け入れる駐車券挿入手段１２を含み、当該挿入された当該駐車券５が保持する当該車両１が入庫した入庫年月日時刻情報と当該車両１が当該駐車場２から出庫する予定日時刻の出庫年月日時刻情報とから別途決定される当該車両１の駐車時間に対応する駐車料金を表示する駐車料金表示手段１３と、当該駐車料金表示手段１３に表示された当該駐車料金に相当する駐車料金の入金受入手段１４と、当該入金受入手段１４に当該駐車料金の入金が有ったとの判定があった場合に、当該駐車料金に対する駐車料金事前支払済証８０を発行する駐車料金事前支払済証発行手段１５６とを含む事前駐車料金精算手段１５と、が設けられている車両の入出庫管理装置１００に於いて、当該事前駐車料金精算手段１５には、更に、当該車両１のユーザーが、当該駐車券５を挿入する駐車券挿入手段１９９と、当該ユーザーが指定期間パス券リスト表示手段２５１に表記された、複数の指定期間パス券の中から一つの指定期間パス券１７を任意に選択指定出来る指定期間パス券選択手段２５２と、当該指定期間パス券選択手段２５２の動作に応答して、当該選択された指定期間パス券１７の購入価格を表示する指定期間パス券価格表示手段２５３と、当該指定期間パス券価格表示手段２５３に表示された当該指定期間パス券価格料金に相当する料金の入金受入手段２５４と、当該入金受入手段２５４に当該指定期間パス券価格料金の入金が有ったとの判断があった場合に、当該車両１のユーザーから既に提供されている当該駐車券５に記載・記憶されている各種の情報を新たな同一種類の情報で上書処理して指定期間パス券１７に変更して当該車両のユーザー返却する機能を有する指定期間パス券発券手段２６０、とが設けられていると共に、当該出庫管理操作手段１１には、更に、当該駐車券５又は当該駐車料金事前支払済証８０が挿入される当該挿入手段３０の機能を含む当該指定期間パス券１７と上記２種類のカード基板を含む３種類のカード基板が挿入されるカード基板挿入手段２３０及び指定期間パス券１７に対する認識手段２１０が付加されており、当該指定期間パス券１７が提供された場合には、当該指定期間パス券１７の有効期限年月日時刻情報から当該指定期間パス券１７が有効か否かを判断し、有効である場合のみ、当該指定期間パス券１７を当該車両１のユーザー返却後、当該出庫ゲート４を開放する操作を実行する出庫ゲート開放手段３７が含まれている様に構成されていることを特徴とする駐車場に於ける車両の入出庫管理装置１００が示されている。
【００１３】
尚、図１中、３００は中央演算手段であり、３０１は、本発明の入出庫管理装置１００のシステムを稼働させるために必要な各種のソフトウェアが格納されている第１の記憶手段であり、又３０５は、本発明に於いて使用される複数種類の指定期間パス券をそのそれぞれの料金を含めて記憶している第２の記憶手段であり、３０４は適宜のタイマー手段を含む計時手段であり、又３０２は、本発明に係る駐車場に於ける車両の入出庫管理装置１００のオペレータが所望の情報を中央演算手段３００に指示入力する為のキーボード手段である。
つまり、本発明に係る当該駐車場に於ける車両の入出庫管理装置１００にあっては、基本的には従来一般的に使用されている車両１の駐車場２であって、当該駐車場２に一般的に設置されている設備や制御・管理システムを出来るだけそのまま利用して、それに必要な新たな設備・機能或いは新たな制御プログラムを最小限に追加付加する事によって、容易にかつ迅速に然も低コストで、当該車両１のユーザーが、最初は従来一般的に使用されている時間貸し駐車券つまり通常の駐車料金５を使用して当該駐車場２の入出庫の利用をスタートしたが、その後、当該駐車場２の利便性に気がついて、所定時間内に何回でも入出庫操作が可能となるパス券１７の利用に切り替える事が可能となるという、車両の２元式駐車場管理システムを完成させたものであり、一般的には、車両１のユーザーは、初めての駐車場に入庫する際には、その駐車場の利便性が判らず、取りあえず時間貸しを基本とする通常の駐車券５を購入して入庫するものであり、その後、当該駐車場を使用している間に、当該駐車場の便利性、宿泊地に近いとか、商業地域に近いとか、駅に近く料金も安い等の利便性が判ってきて、一定の期間当該駐車場を何回も利用する事を考慮する様になる事が多いのが実情である。
【００１４】
つまり、上記した様に、或る車両１のユーザーは、初めて利用する駐車場２に対しては、その使用勝手が判らない為、入庫の判断に躊躇がかかり、取り敢えず、先ず最初の段階で試しにその駐車場を利用して見た後に、当該駐車場が気に入り、当該駐車場２に対して自由に何回も入出庫したいと希望する場合も多く見られ、それによって、その都度、個別に当該時間貸し駐車券を使用して個別にその際の駐車料金を支払う方法に比べて大幅に当該１日に於ける総合的駐車料金を削減する事を可能にしたいとの要望が出てくる事は自然な要求であるので、本発明はその様なニーズに完全に適合したシステムであると言えるのである。
【００１５】
従って、本発明の基本的な技術思想は、当該車両１のユーザーが最初に当該駐車場２に入庫する際には、通常の時間貸しを基本とする駐車券５を入手して当該駐車場２に入庫し、その後当該駐車場２の利便性に気付き、当該駐車場２を出庫する際に、適宜の装置、例えば、当該駐車場２の当該事前駐車料金精算手段１５に特別に設けられている指定期間パス券発券要求手段２５０を使用して、当該車両１のユーザーが既に所有している当該駐車券５を所定の期間何回も当該駐車場２に入出庫する事を可能とする指定期間パス券１７に書き換えて購入する様に構成し、当該車両１のユーザーは、当該新たに発券された当該指定期間パス券１７を使用して、当該駐車場に於ける当該出庫ゲート４のゲートを開放させて出庫する事が出来る様に構成したものである。
勿論、本発明に於いては、当該指定期間パス券１７は、１種類に限定されるものではなく、２４時間、４８時間、７２時間・・・あるいは、半日、１日半等の様に、複数種類のパス期間を有する指定期間パス券を予め用意しておき、当該車両１のユーザーが自己のニーズに応じて、任意のものを選択出来るようにしておく事が好ましい具体例である。
【００１６】
此処で、本発明に係る当該駐車場に於ける車両の入出庫管理装置１００に於いて従来、一般的に使用されてきている当該駐車券発券手段６と、当該出庫管理操作手段１１と当該事前駐車料金精算手段１５の構成の概要を図７乃至図９で説明し、本発明に於いて、それらがどの様に、改善された構成となっているかを図２乃至図４で説明し、本発明の技術構成上の特徴を明らかにする。
ここで、従来、駐車場２に於ける車両の入出庫管理システムに於いて一般的に使用されている当該駐車券発券手段６と当該出庫管理操作手段１１並びに当該事前駐車料金精算手段１５等の構成の概要を図７ないし図９を参照しながら詳細に説明する。
即ち、図７は、従来一般的に使用されている当該駐車券発券手段６の構成の例を示したブロック図であって、当該駐車券発券手段６は、少なくとも、一般的な時間貸し方式の駐車券５の発券を要求する、当該車両１のユーザーが、タッチ操作を行う駐車券発要求手段（キー手段）４０と当該駐車券５を発行する為の駐車券排出供給手段４１とが設けられており、更に、当該駐車券発券手段６の内部には、当該駐車券５に使用される当該平板状のカード基板２００を複数枚予めストックしておく平板状のカード基板供給手段４９と、適宜の計時手段と接続され、当該駐車券５が発券される際に、当該平板状のカード基板２００の当該フォーマット部２０４に、当該駐車券５のシリアル番号と当該車両１の入庫年月日情報と入庫時刻情報と当該駐車券５が通常の時間貸し駐車券であることを表示する情報（例えば“０”のフラグ情報）とを、磁気的手段で記憶処理する入庫情報書込手段４７と、当該駐車券５のシリアル番号と当該車両１の入庫年月日情報と入庫時間情報並びに当該駐車券５が通常の時間貸し駐車券であることを示す表示、例えば、“０”のフラグを、当該平板状のカード基板２００の所定の部位に印刷表示を行う印刷手段４８とが設けられている。
更に、当該車両１のユーザーが当該駐車券５を取り上げると同時に当該入庫ゲート３を開放する入庫ゲート開放手段５０が設けられている。
【００１７】
又、図８は、従来一般的に使用されている当該出庫管理操作手段１１の構成の例を示したブロック図であって、当該出庫管理操作手段１１は、少なくとも、当該駐車券５及び前記した当該駐車料金事前支払済証８０が挿入される駐車券及び駐車料金事前支払済証挿入手段３０と、当該駐車券及び駐車料金事前支払済証挿入手段３０に挿入された当該駐車券５或いは当該該駐車料金事前支払済証８０に記載された記憶情報を読み出して、その何れかを判断する駐車券及び駐車料金事前支払済証認識手段１１０と、当該駐車券及び駐車料金事前支払済証認識手段１１０の判断結果に応答して、当該挿入されたものが当該駐車料金事前支払済証８０である場合には、当該駐車料金事前支払済証８０を回収して適宜の駐車料金及び駐車料金事前支払済証回収保管手段１３４に回収保管すると同時に、当該出庫ゲート開放手段３７を駆動させて当該出庫ゲートを開放する様に構成されており、又、当該挿入されたものが当該駐車券５である場合には、当該駐車券５に記録されている当該車両１の入庫時刻情報と適宜に配置されている時間計測手段３０４から取得される当該車両の出庫年月日時刻情報から当該車両１の駐車時間を演算する駐車時間演算手段１１１と当該駐車時間演算手段１１１により演算された当該車両１の駐車時間に対応する当該車両の駐車料金を演算する駐車料金演算手段１１２と当該駐車料金演算手段１１２による演算結果情報を適宜の形式で表示する駐車料金表示手段３１と、紙幣及びまたは硬化を含む当該駐車料金額を受け入れる駐車料金受入手段３２と、当該駐車料金受入手段３２に入金された当該駐車料金金額と当該駐車料金表示手段３１に表示された当該駐車料金額とを比較演算する駐車料金比較演算手段１１３と、当該駐車料金比較演算手段１１３による演算結果を表示する比較演算結果表示手段３３と、比較演算結果により、当該受け入れ金額と表示された当該駐車料金とが一致した場合には、例えば領収書発行手段３８から当該領収書発行の発行を行うと共に、当該駐車券５を当該駐車料金及び駐車料金事前支払済証回収保管手段１３４に回収保管すると同時に当該出庫ゲート開放手段３７を駆動させて当該出庫ゲートを開放する様に構成されたシステムを稼働させ、当該受け入れ金額と当該表示された駐車料金とが一致ない場合で、不足額が存在する場合には、不足駐車料金金額を、精算状態表示手段２３２に表示して、当該車両１のユーザーに追加入金額の支払いを要求し、一方、超過額が発生している場合には、例えば「釣銭がでます」との表示を当該精算状態表示手段２３２に表示して、当該釣銭を釣銭供給手段３６を介して当該車両１のユーザーに返還する様に構成されたシステムを稼働させるように構成されているものである。
【００１８】
更に、図９は、従来一般的に使用されている当該事前駐車料金精算手段１５の構成の例を示したブロック図であって、当該事前駐車料金精算手段１５は、少なくとも、当該車両１のユーザーから提供される当該駐車券５を受け入れる駐車券挿入手段１２を含み、当該駐車券５に記録されている当該車両１の入庫年月日時刻情報と適宜に配置されている時間計測手段３０４から取得される当該車両の出庫予定年月日時刻情報から当該車両１の駐車時間を演算する駐車時間演算手段１５１と当該駐車時間演算手段１５１により演算された当該車両１の駐車時間に対応する当該車両の駐車料金を演算する駐車料金演算手段１５２と当該駐車料金演算手段１５２による演算結果により得られた駐車料金情報を適宜の形式で表示する駐車料金表示手段１３と、紙幣及びまたは硬化を含む駐車料金を受け入れる当該駐車料金受入手段１４と、当該駐車料金受入手段１４に入金された当該駐車料金金額と当該駐車料金表示手段１３に表示された当該駐車料金額との相違を比較演算する駐車料金比較演算手段１５３と、当該駐車料金比較演算手段１５３による演算結果から、当該受け入れ金額と当該駐車料金とが一致した場合には、例えば「駐車料金事前支払済証発行」との表示を例えば、当該表示手段１３で表示した後、印刷・記録手段１５７を介して、予めストックされている当該平板状原板カード２００の所望の部位に駐車料金事前支払済証を示す標識を印刷・表記すると共に、支払った駐車料金と支払いを完了した時点の年月日時刻情報を印刷表記すると共に、当該当該平板状原板カード２００当該フォーマット部２０４の所定の部位に、当該駐車料金事前支払済証である事を示すフラグ情報“２”と、当該駐車料金の事前支払い時点での年月日時刻情報とを磁気的手段を介して上書き記録して、当該駐車料金事前支払済証８０を当該駐車料金事前支払済証発行手段１５６から発行する。
【００１９】
一方、それと同時に、領収書の発行を指示する領収書発行指示手段１６０により、別途の用紙を使用して、当該印刷・記録手段１５７で領収書を印刷し、それを領収書発行手段１５９を介して当該車両１のユーザーに対して発行する。
一方、当該受け入れ金額と当該駐車料金とが一致ない場合で、不足額が存在する場合には、別途設けられた入金状況表示手段１５４に、不足する駐車料金の額を表示して、当該不足駐車料金支払指示手段１６１より、追加入金額の支払いを要求するメッセージを表示し、その後、当該不足金額の入金の有無の判断を行うか、一方、超過額が発生している場合には、例えば「釣銭がでます」との表示を当該入金状況表示手段１５４に行って、その後、つり銭返却指示手段１６２により、別途設けた釣銭供給手段１５５を介して、当該釣銭を当該車両１のユーザーに返却した後、当該駐車料金事前支払済証８０を発行する様に構成された入金状況表示手段１５４が設けられており、更には、上記した釣銭を供給する釣銭供給手段１５５及び当該駐車料金事前支払済証８０を印刷して発行する駐車料金事前支払済証発行手段１５６とが設けられているものである。
【００２０】
これに対し、本発明に於いては、一つの平板状カード原板を、通常の時間貸し駐車券５と所定の期間入出庫自在を認める指定期間パス券１７と駐車料金事前支払済証８０の何れかに任意に書き換えて使用するものであり、当該車両１の入出庫処理に際しては、基本的に、当該駐車券５と当該指定期間パス券１７とを区別して使用されることであり、更にその駐車料金の精算処理に際しては、上記した３種類の平板状カード原板が使用される事になるので、それに適応したシステムとなる様に、図７ないし図９に示された従来の各手段に必要な追加処理を行ったり、従来の一部の個別的手段は、兼用して使用出来る様に、ソフトウェアの変更も含めた修正を施したものである。
【００２１】
即ち、図２は、本発明に於いて使用される当該駐車券発券手段６の構成を示したものであって、図中、対応する図７に示されている各手段に加えて、当該指定期間パス券１７を挿入する指定期間パス券挿入手段４２と、当該挿入された指定期間パス券１７が正しいものか否かを判別する指定期間パス券識別手段４３と当該挿入された指定期間パス券が正しいものである場合には、当該指定期間パス券１７の有効期限が未だ有効であるか否かを判断する指定期間パス券有効期限判別手段４４と、当該指定期間パス券１７が、有効であるか無効であるかの判断結果や、当該指定期間パス券１７の有効期限が有効であるか無効であるかの判断結果を表示する指定期間パス券識別判断結果表示手段４５と、当該指定期間パス券１７が有効であると判断された場合に当該指定期間パス券１７を当該車両１のユーザーに返却する為の指定期間パス券返却手段４６とが新たに設けられている。
尚、同図中、その他のブロック要素部で、図７と同じ符号を持っているブロック要素部は、図７の当該ブロック要素部と同じ機能を有するものである。
尚、当該指定期間パス券返却手段４６は、従来装置に於ける当該駐車券発券手段である当該駐車券排出供給手段４１と兼用する事も可能である。  
【００２２】
尚、本発明に於いて、当該挿入された指定期間パス券１７が指定期間パス券ではなかった場合や当該指定期間パス券１７有効期限が無効となっている場合には、それらを回収して保管する為に、従来からある当該カード基板供給手段４９を保管手段として利用する事が可能であり、又、当該指定期間パス券１７が有効である場合に当該指定期間パス券１７を当該車両１のユーザーに返却する以前に、当該指定期間パス券１７に、今回の入庫時に関する入庫年月日時刻情報を当該指定期間パス券１７の当該フォーマット部２０４に上書き記録する為に従来あら在る当該入庫情報書込み記録手段４７を利用する事が可能であり、又、当該指定期間パス券１７を当該車両１のユーザーが当該指定期間パス券返却手段４６から取り出した際には、既に設けられている当該入庫ゲート開放手段５０を利用して、入庫ゲートの開放操作を行わせる事が可能である。
更に、本発明に於ける当該駐車券発券手段６に於いては、新たに発行される当該駐車券５は、その後に当該指定期間パス券１７や当該事前駐車料金精算手段１５に書換変更して継続して使用されるものであるから、基本的には、全てその使用資格を失った段階、例えば、当該出庫管理操作手段１１に於いて出庫処理操作が完了した後には、当該駐車券５や当該指定期間パス券１７及び当該駐車料金事前支払済証８０は一旦回収し、例えば当該平板状のカード基板の保管手段を兼ねる当該平板状のカード基板供給手段４９に一時的に保管しておき、必要に応じてそこから取り出して使用する様に構成しておく事も好ましい具体例である。
【００２３】
一方、図３は、本発明に於いて使用される当該出庫管理操作手段１１の構成を示したものであって、図中、点線で囲まれている領域内に設けられたブロック要素部群は、対応する図８に示されている各ブロック要素部群のそれぞれと対応するものであり、基本的には、図８に示されている各ブロック要素部群の各手段をそのまま使用するものであり、本発明では、これに加えて、更に、新しい手段を複数個追加して構成したものであって、例えば、当該駐車券５、当該指定期間パス券１７及び要すれば当該駐車料金事前支払済証８０の何れかの平板状カード基板部材を挿入する為のカード挿入手段２３０（これは、図８に示される当該駐車券５又は当該駐車料金事前支払済証８０挿入手段３０と兼用する事も可能である）と、当該挿入された平板状カード基板部材の種類を識別する為の平板状カード基板部材識別手段２１０と、当該平板状カード基板部材の識別結果を表示する平板状カード基板部材識別結果表示手段２１１と、当該平板状カード基板部材識別手段２１０による識別結果、当該平板状カード基板部材が、駐車料金事前支払済証８０であった場合に、当該駐車料金事前支払済証８０を当該駐車券・駐車料金事前支払済証回収手段１３４に回収すると共に当該出庫ゲート開放手段３７を駆動させる指示を出す平板状カード基板部材回収・出庫ゲート開放指示手段２２０と、当該平板状カード基板部材が指定期間パス券１７であると識別された場合に、当該指定期間パス券が現時点において有効であるか否かを判断する指定期間パス券有効性判別手段２２１と、当該指定期間パス券有効性判別手段２２１の判断結果を表示する指定期間パス券有効・無効表示手段２２２と、当該指定期間パス券１７が有効である場合に、当該指定期間パス券１７に出庫情報として出庫年月日時刻情報と出庫フラグとを記憶する為の、別途設けた出庫情報記録・印刷手段２４６を介して記録・印刷処理すると同時に、当該指定期間パス券１７を車両１のユーザーに返却した後、当該出庫ゲート開放手段３７を稼働させる様に指示を出す指定期間パス券返却・出庫ゲート開放指示手段２２６と、当該指定期間パス券１７が無効であると判断された場合に、当該指定期間パス券１７の最終有効期限年月日時刻情報と現時点での出庫年月日時刻情報とからその差額時間を求め、当該車両１が超過した駐車時間を演算する超過駐車料金演算手段２２４と、当該超過駐車料金演算手段２２４により算出された当該超過駐車時間に対応する超過駐車料金を演算して表示して、当該車両１のユーザーに追加料金の支払いを要請する追加駐車料金表示手段２２５と、当該追加料金を入金させる追加料金入金受入手段２４０と、当該追加入金された金額と当該追加駐車料金表示手段２２５に表示された追加料金金額との差分を演算する追加入金金額／表示された追加駐車料金金額比較演算手段２４１と当該比較演算結果を表示する比較演算結果表示手段２４２と当該比較演算結果表示手段２４２に於いて双方の金額が一致した場合には、別途設けられた領収書発行手段２４５から領収書を発行すると共に、当該指定期間パス券１７を回収手段１３４に回収して、当該出庫ゲートを開放する様に指示する指定期間パス券回収・出庫ゲート開放指示手段２４３と、当該比較演算結果表示手段２４２に於いて当該入金金額が追加駐車料金額よりも多い場合には、釣銭を当該車両１のユーザーに返還する為に別途設けられた、つり銭供給手段２４４とが設けられている。
【００２４】
尚、当該平板状カード基板部材挿入手段２３０に挿入された平板状カード基板部材が、当該駐車券５であった場合には、図８に示された従来の出庫管理操作手段１１の機能と同一の機能が利用されるので、図３に於ける点線で囲まれた領域内に配備されている各手段で、図８に示されている符号と同じ符号を有するものは、図８の同一符号が持つ機能と同一の機能を持った手段である事は言うまでもない。
尚、図３に於いて使用される当該領収書発行手段２４５や当該つり銭供給手段２４４及び当該追加駐車料金入金受入手段２４０は、それぞれ、図８に於ける領収書発行手段３８とつり銭供給手段３６及び駐車料金入金受入手段３２と兼用するものであっても良い。
更に、図３に於ける本発明で使用される当該出庫管理操作手段１１に於いては、別途、指定期間パス券発券機能を併設したものであっても良く、その場合には、図４で説明する、後述する当該事前駐車料金精算手段１５に設けられた指定期間パス券発券機能とほぼ同等の機能と各手段を当該図３のブロック図に付加する構成とする事におり実現させる事が可能である。
【００２５】
一方、図４は、本発明に於いて使用される当該事前駐車料金精算手段１５の構成を示したものであって、基本的には、図９に示される当該事前駐車料金精算手段１５の機能をそのまま所有しているものであるから、図中、点線で囲まれた領域内に配備されている各機能手段群のそれぞれは、何れも、図９に示されている符号と同じ符号を有するものは、図９の同一符号が持つ機能と同一の機能を持った手段である事は言うまでもない。
その上で、図４に於いては、当該事前駐車料金精算手段１５に於いて、当該車両１のユーザーが既に所有している当該駐車券５を使用して、所望の指定期間パス券１７を獲得出来るようにするものであって、その目的の実現の為に、当該事前駐車料金精算手段１５を、指定期間パス券発券手段としても兼用して使用可能にするための所望の改良を行ったものである。
【００２６】
つまり、本発明に於いては、既に駐車券を持っている当該車両１のユーザーが、当該事前駐車料金精算手段１５に於いて、自己が所有する当該駐車券５を、書換変更する手段を利用する事により指定期間パス券１７に書換変更し、当該指定期間パス券１７を発行させ、その後、当該出庫管理操作手段１１で出庫処理操作をする工程と、従来同様に、当該車両１のユーザーが既に持っている当該駐車券５をそのまま使用して当該事前駐車料金精算処理を行い、当該駐車料金事前支払済証８０を取得して、その後、当該出庫管理操作手段１１で出庫処理操作をする工程と、例えば、使用中に当該指定期間パス券１７の有効期限が切れてしまった事に気がついた当該車両１のユーザーが、当該事前駐車料金精算手段１５の平板状のカード基板挿入手段１９９に、当該指定期間パス券１７を挿入し、追加の駐車料金を支払って、当該駐車料金事前支払済証８０を取得して、出庫処理する工程や、当該使用中に有効期限が切れてしまった当該指定期間パス券１７を当該事前駐車料金精算手段１５の平板状のカード基板挿入手段１９９に挿入して再度、指定期間パス券１７を取得して出庫処理する工程等が含まれるものである。
即ち、最初の操作は、先ず、当該事前駐車料金精算手段１５に設けられた駐車券挿入手段１９９に、当該車両１のユーザーが既に所有している当該駐車券５を挿入する。
尚、本発明に於いては、当該駐車券挿入手段１９９は、前記した当該駐車券５の挿入手段１２と兼用するものであっても良い事は言うまでもない。
【００２７】
その後は、新たに設けられた当該車両１のユーザーが操作する指定期間パス券発券要求手段２５０と当該指定期間パス券発券要求手段２５０の操作に応答して、複数種類の指定期間パス券の内容とそれぞれに対応する指定期間パス券発券料金との一覧するリストを表示する指定期間パス券リスト表示手段２５１と、当該指定期間パス券リスト表示手段２５１の中から当該車両１のユーザーが好みの指定期間パス券１７を選択する為の指定期間パス券選択手段２５２と当該選択された特定の指定期間パス券とその料金を表示し、その料金の入金を要請する選択指定期間パス券料金表示手段２５３と、当該選択指定期間パス券料金を入金する為の入金受入手段２５４と当該入金された金額と当該選択された指定期間パス券料金との差分を演算する差分演算手段２５５と、当該差分演算手段２５５による差分演算結果を表示する差分演算表示手段２５６とが設けられており、更に、当該演算結果が当該両者の一致を示している場合には、当該事前駐車料金精算手段１５内に既に挿入されている当該駐車券５に、それが特定の指定期間パス券である事を示す標識を所望の部位に印刷手段２５８を使用して上書き印刷する（この場合では、既に表記されている「通常駐車券」の文字の上に、「指定期間パス券」の表記を上書き印刷する）と共に、当該駐車券の当該フォーマット部２０４内に、それが特定の指定期間パス券である事を示すフラグ情報“１”と、別途設けられた有効期限設定手段２６４に於いて、当該駐車券の入庫年月日時刻情報に当該指定期間パス券の指定された特定期間を加算して当該指定期間パス券の有効期限情報を決定し、その有効期限情報と入出庫状態を示すフラグ情報とを、当該印刷手段２５８を使用して磁気的記録方法により上書き記録し、且つ、同時に当該指定期間パス券１７の有効期限情報を当該新たな指定期間パス券の印刷表記部位に当該印刷手段２５８を使用して上書き印刷する様に指示し、更にその後、領収書発行手段２６５から所定の領収書を発行した後、当該指定期間パス券１７を指定期間パス券発行手段２６０から発行する様に指示する指示手段２５７が設けられるものであり（この手段はソフトウェアに含まれているものであっても良い事は言うまでもない）、又、当該演算結果が当該両者の不一致を示している場合で、当該入金額が当該駐車料金よりも多く入金され、超過状態にある場合には、例えば、つり銭金額表示手段２６１に、釣銭の額を表示し、同時に、別途設けられているつり銭供給手段２６２からつり銭を当該車両１のユーザーに返却する様にして、同時に上記と同様、当該領収書発行手段２５９から所定の領収書を発行した後、当該指定期間パス券に、上記したと同様の所定の印刷・記録処理を行った後に、当該指定期間パス券１７を指定期間パス券発行手段２６０から発行する様に指示する指示手段２５７（この手段はソフトウェアに含まれているものであっても良い事は言うまでもない）が設けられるものであり、
【００２８】
更に、当該演算結果が当該両者の不一致を示している場合で、当該入金額が当該駐車料金よりも少ない不足の状態にある場合には、例えば、当該差分演算表示手段２５６に、不足する駐車料金の額を表示して、当該車両１のユーザーに不足の駐車料金の納付を要請し、その後、当該車両１のユーザーが当該指定期間パス券料金入金受入手段２５４（前記した機能と兼用する）を介して当該不足の駐車料金を支払った後に、上記と同様、当該領収書発行手段２６５から所定の領収書を発行した後、当該指定期間パス券１７に、上記したと同様の所定の印刷・記録処理を行って、次いで、当該指定期間パス券１７を指定期間パス券発行手段２６０から発行する様に指示する指示手段２５７’が設けられている。
【００２９】
尚、上記具体例に於いては、例えば、当該駐車料金入金受入手段１４と当該指定期間パス券料金入金受入手段２５４、当該入金された駐車料金金額と当該駐車料金表示手段１３に表示された当該駐車料金額との相違を比較演算する駐車料金比較演算手段１５３と当該入金された金額と当該選択された指定期間パス券料金との差分を演算する差分演算手段２５５とは、それぞれ相互に兼用する事が可能である。
その他、当該入金状態表示手段１５４と当該差分演算結果表示手段２５６、当該印刷・記録手段１５９と当該印刷・記録手段２５８、当該駐車料金表示手段１３と当該選択した指定期間パス券１７のパス料金表示手段２５３、当該印刷・記録手段１５９と当該印刷・記録手段２５８、当該つり銭供給手段１５５と当該つり銭供給手段２６２、当該領収書発行手段１５７と当該領収書発行手段２５９、当該駐車料金事前支払済証発行手段１５６と当該指定期間パス券発行手段２６０等のそれぞれの対は、相互に兼用する事が可能である。
又、本発明に於ける特徴の一つは、それぞれの操作で使用される個々の当該駐車券５と当該指定期間パス券１７と当該駐車料金事前支払済証８０は、何れも同じ素材で構成される平板状カード基板２００を使用するものであって、これを使用後廃棄することなくリサイクルして継続的に使用するものであるから、それぞれの平板状カード基板２００の使用目的が完了した場合でも、それを全て例えば当該回収手段１６０、１３４で回収し、当該駐車券発券手段６に設けた当該駐車券供給手段４９にストックさせておき、必要に応じて順次に再使用する事が望ましい具体例である。
【００３０】
本発明に於ける上記各具体例を更に追加説明するならば、本発明に於いては、従来から当該駐車場２に設置されている公知の事前駐車料金精算手段１５を活用する事を基本的な技術思想とするものであって、当該事前駐車料金精算手段１５に、後記する様に、上記した指定期間パス券１７を発券する為の指定期間パス券発券手段２０（実線で囲まれた部分）が設けられており、当該指定期間パス券発券手段２０には、例えば、当該指定期間パス券の発券を要求する指定期間パス券発券要求手段２５０と、複数種類の指定期間パス券の種類と当該それぞれの指定期間パス券１７に関する予め定められた料金の額とを一覧的に表示する指定期間パス券価格一覧表示手段２５１と、当該複数種類の指定期間パス券の中から所望の指定期間パス券を選択する為の指定期間パス券選択キー手段２５２と、当該選択された指定期間パス券１７の料金の額を別途に表示する為の選択指定期間パス券料金表示手段２５３と、当該指定期間パス券料金受け入れ手段２５４、入金された当該金額と予め定められた当該指定期間パス券価格とを比較演算する演算手段２５５を使用し、その差分の有無を演算し、双方が一致しない場合には、追加入金を要請する指示表示手段２５６や釣銭供給手段２６２、更には、当該駐車券挿入手段１９９又は１２に挿入された当該時間貸しを基本とする駐車券５の適宜の表示部若しくはフォーマット部２０４に、指定期間パス券であることを意味する文言或いはフラグ情報を上書き記録或いは印刷が出来、且つ所定の記録情報を書き換えする事が出来る上書印刷書換手段２５８、並びに当該新たに発券された当該指定期間パス券１７を発行する指定期間パス券発行手段２６０とが設けられるものである。
【００３１】
当該指定期間パス券発券手段２０の機能としては、当該事前駐車料金精算手段１５に当該車両１のユーザーの意思により、複数種類の特定指定期間をそれぞれが持っている複数の指定期間パス券の中から、所望の指定期間パス券１７を選択出来る指定期間パス券選択手段２５０を設ける事が特に望ましい具体例である。
係る具体例に於いては、更に、当該複数種類の指定期間パス券を列挙したメニューリストに、それぞれの当該指定期間パス券に関する個々の料金価格を合わせて表示しておく事も望ましい具体例である
又、当該時間貸しを基本とする駐車券５を当該指定期間パス券発券手段２０の当該駐車券挿入手段１９９に挿入する際には、当該駐車券挿入手段１９９は、当該当該事前駐車料金精算手段１５に既に設けられている駐車券挿入手段１２と兼用することが望ましく、又、新規に発行される当該指定期間パス券１７の発行手段２６０は、当該事前駐車料金精算手段１５の駐車料金事前支払済証８０発券口１５６を兼用させることが可能である。
【００３２】
尚、本発明に係る当該指定期間パス券発券手段２０に要求される当該料金受入手段２５４、入金された当該金額と予め定められた当該指定期間パス券価格とを比較演算する演算手段２５５、当該演算手段２５５による演算処理の結果、その双方が一致しない場合には、追加入金を要請する追加入金要請手段２５６や釣銭供給手段２６２等は、既に、当該事前駐車料金精算手段１５に備えられている同等の機能をそのまま兼用して活用する事が可能であるが、それらを駆動制御する為のソフトウェアは別途新たに用意する必要がある。
尚、本発明に係る当該指定期間パス券発券手段２０は、当該事前駐車料金精算手段１５と兼用する物であっても良いが、当該出庫管理操作手段１１に含め、従来から当該出庫管理操作手段１１設けられている類似の手段と兼用させることも可能であることは言うまでもない。
又、本発明に於いては、当該駐車券５が、当該指定期間パス券１７に変更された場合に、当該元の駐車券５に記載されて入庫時間から、当該変更処理時点までに発生した駐車時間情報は、以後は無視されることになる。
【００３３】
又、本発明に於いては、紙製或いはプラスチック材料製の平板状の原板からなる一つの駐車券用原券を当該時間貸し方式の駐車券５と当該指定期間パス券１７とに相互に変更して使い廻しで使用する事を基本的技術思想とするもので、当該各券に於ける記憶情報は、それぞれに変更処理する際に必要な情報は残しながら、新たな情報を記憶させるように構成されているとともに、当該各券に於ける表示もその内容は上書き印刷することにより変更することが可能になる様に構成されているので、当該駐車券原券は、常に使い廻されることになるので、基本的には、使用により破損或いは使用不能となったものを除いて、廃棄処分される当該原券は存在しない事になる為、環境に優しいシステムであると同時に経済的システムである事は明らかである。
更に、本発明に於いては、当該事前駐車料金精算手段１５は当該駐車場２の敷地内に設けられていても良く、或いは、図１の１５’で示されている様に、当該事前駐車料金精算手段１５は当該駐車場２の敷地の外の適宜の領域に設けられているものであっても良く、更には、その双方の態様を採用する事も可能である。
【００３４】
一方、本発明に於いて、当該指定期間パス券発券手段２０の機能を当該事前駐車料金精算手段１５に実行させる様に構成する代わりに、当該機能を当該出庫管理操作手段１１に実行させるように構成する事も出来る。
その場合には、従来の出庫管理操作手段１１に、例えば、上記した指定期間パス券１７を発券する為の指定期間パス券発券機能を有する指定期間パス券発券手段２０を設けるものであっても良い。
又、当該出庫管理操作手段１１に於ける当該駐車券５の挿入口３０は、当該指定期間パス券１７の挿入手段３０’として兼用する事が出来、更に当該出庫管理操作手段１１に於ける当該領収書発行手段３８は、当該指定期間パス券１７の発券手段３０６と兼用する事が可能である。
【００３５】
又、同様に、当該出庫管理操作手段１１に於ける当該駐車料金表示手段３１や当該駐車料金入金手段３２並びに、当該駐車料金精算結果表記手段３３は、必要な制御プログラムの導入を行う事を前提として、当該指定期間パス券料金表示手段２５３や当該指定期間パス券入金手段２５４並びに、当該指定期間パス券料金精算結果表記手段２５６にそれぞれ対応して兼用出来る様に構成されている事も好ましい具体例である。
【００３６】
次に、本発明に於いて使用される当該駐車券発券手段６に於いては、従来公知の当該駐車券発券手段６に設けられている各種の手段の他に、例えば、当該指定期間パス券１７を受け入れる為の指定期間パス券挿入口（挿入手段）４２が設けられると同時に、当該指定期間パス券１７の識別手段４３、当該指定期間パス券１７の有効期限情報を読み取るための当該指定期間パス券情報読取手段４４と、当該指定期間パス券情報読取手段４４の読取情報に基づいて、当該指定期間パス券１７が有効か無効かを判断する指定期間パス券１７の有効性／無効性判別手段４５と当該指定期間パス券１７の有効性／無効性判別手段４５の判定結果に基づいて、その結果を表示する当該指定期間パス券１７の有効性／無効性判別結果表示手段４５０と当該指定期間パス券１７が無効であると判断された場合には、当該指定期間パス券１７を回収する為の回収貯蔵手段４９（当該平板状のカード基板２００の供給手段を兼ねる）とが設けられると同時に、当該指定期間パス券１７が有効であると判断された場合には、当該指定期間パス券１７を、入庫情報記録手段４７を介して、当該指定期間パス券に入庫情報を記録し、同時に、当該入庫情報を当該印刷手段４８を介して当該指定期間パス券の表面に必要な情報を印刷した上で、当該指定期間パス券返却手段４６を介して、当該車両１のユーザーに返却した上で、当該入庫ゲート３を開放する入庫ゲート開放手段５０が設けられている事が望ましい。
尚、本発明に於いて、有効と判断された当該指定期間パス券１７を当該車両１のユーザーに戻す為の当該指定期間パス券返却手段４６としては、当該駐車券発券手段４１を兼用して使用する事も可能である。
【００３７】
又、本発明に於いては、当該指定期間パス券１７の発行する時期や発行枚数は、当該駐車場２の管理者が、当該駐車場２の使用状況、空車状況、当該駐車場２の近傍に於けるイベント開催情報に基づいて、予想される入庫可能車両の予想台数等を勘案して、適宜設定する事が可能であり、最大の利益が確保出来る様な当該指定期間パス券１７の使用枚数を選択・制限する事が可能となる。
一方、本発明に於いて使用される当該駐車券５や当該指定期間パス券１７は、同一の原紙、同一の平板状のカード基板２００を使用するものであり、基本的には紙製或いはプラスチック製の平板状のカード基板の一面２０１には、図５（Ａ）に示す様に、そのカード基板が当該時間貸しを基本とする通常の駐車券５であるか或いは当該指定期間パス券１７であるか若しくは後述する駐車料金事前支払済証８０であるかを識別出来る様に、適宜のインキ材料を使用して上書き方式で印刷を行う印刷表示部２０３が設けられているものであり、当該平板状のカード基板２００−１の少なくとも一方の面上に、当該平板状のカード基板２００−１の現在の種類が表示されている場合で、例えば、図５（Ｂ）に示されている様に、時間貸しを基本とする通常の駐車券５であることが印刷表示されている場合に、この平板状のカード基板２００−１を当該指定期間パス券１７に切り替えてそのまま使用する場合には、図５（Ｃ）に示されている様に、当該平板状のカード基板２００−２の当該同一印刷表示部２０３の既設表示部、つまり通常の駐車券５であることが印刷されている部分の上に、当該指定期間パス券であることを示す表示を上書き印刷する様に構成するものである。
【００３８】
又、本発明に於いて、必要な場合には、図５（Ｄ）に示されている様に、当該平板状のカード基板２００−３の当該同一印刷表示部２０３の既設表示部、つまり通常の駐車券５であること或いは指定期間パス券である事が印刷されている部分の上に、当該駐車料金事前支払済証８０であることを示す表示を上書き印刷する様に構成するものである。
一方、図５（Ｂ）乃至図５（Ｄ）に於ける当該示す様に、平板状のカード基板２００をそれぞれ所定の目的を持つカード基板２００に変更する場合にあっては、当該平板状のカード基板２００のそれぞれの当該フォーマット部２０４に於ける個々の項目にはそれぞれで必要な各種の情報を例えば磁気記録方式等によって、随時消去や書き込みを実行するものである。
【００３９】
即ち、当該フォーマット部２０４には、当該平板状のカード基板２００がいずれの駐車券として使用される場合であっても、共通的に使用可能な必要情報を磁気記録方式等を記録する部分と当該特定の機能を持ったカード基板２００として使用されている場合に、当該特定の機能に関連する必要な情報を磁気記録方式等を記録する部分に於いては、当該カード基板２００の機能が変更された場合には、それに対応した必要情報に書き換えられる様に磁気記録方式による消去・上書書換自在に記憶処理が出来る様に構成されていることが望ましい。
ここで、本発明に於いて使用される当該フォーマット部２０４の具体的な構成例を図６（Ａ）に示す。
即ち、当該フォーマット部２０４には、記憶しておくべき必要項目として、例えば、（１）駐車券番号、（２）車両の入庫時刻、（３）当該車両の入出庫状態フラグ、（４）駐車券識別フラグ、及び（５）パス券の有効期限が示されており、又、当該各項目に於ける必要記憶情報として、当該項目（１）は当該車両の駐車券連続番号（当該駐車券が通常の駐車券５であるか当該指定期間パス券１７で有るかを問わず発券順に連続してシリアル番号が付与されるものである。）
一方、当該項目（２）は、当該車両の入庫時刻を示す情報であり、年月日と時分をローマ字で記憶するものである。例えば、ＹＹＭＭＤＤＨＨＮNの様に記憶する事になる。
【００４０】
次に、当該項目（３）は、当該車両の入出庫状態を示す情報を記憶するものであり、例えば、“０”であれば、出庫済みであることを意味し、又、例えば、“１”であれば、入庫状態であることを意味する様に設定することが出来る。
又、当該項目（４）は、駐車券の種別を示す情報を記憶するものであり、例えば、“０”であれば、時間貸しを基本とする通常の駐車券５を意味し、又、例えば、“１”であれば、指定期間パス券１７を意味する様に設定することが出来る。
更に、当該項目（５）は、当該指定期間パス券１７の有効期限を記憶するものであり、上記した当該車両の当該駐車場２への入庫時刻から指定期間後の時刻を当該指定期間パス券１７の最終有効期限時刻と設定することになる。
当該指定期間パス券１７の最終有効期限は、その年月日と時分をローマ字で記憶するものである。例えば、ＹＹＭＭＤＤＨＨＮNの様に記憶する事になる。
当該指定期間パス券１７の有効期限は、当該車両が当該駐車場２に入庫した時間から適宜のソフトウェアを利用して、その指定期間後となる様に自動的に決定出来るように構成されていることが望ましい具体例である。
尚、当該駐車券が通常の駐車券５である場合には、当該項目（５）の記憶データーは、全て０表示となる。
【００４１】
又、本発明に於いては、当該平板状のカード基板２００を駐車料金事前支払済証８０としても使用する事を一具体例として含めているので、当該フォーマット部２０４の項目（６）として、駐車料金事前支払済証認証フラグが設けられている事が望ましく、当該項目での記録内容としては、当該駐車料金として事前支払が完了した年月日時刻情報をＹＹＭＭＤＤＨＨＮNの形式で記録すると共に、当該支払い済みの駐車料金の金額情報も記録するものである。
一方、上記した本発明に於ける１具体例の構成に於いては、当該平板状のカード基板２００の一方の面２０１には、当該駐車券の種別の表示を印刷表記し、その他方の面２０２には、当該フォーマット部２０４を形成した構成となっているが、本発明の他の具体例では、上記印刷表記部と上記フォーマット部２０４とを当該平板状のカード基板２００の一方の面にのみ並列配置した構成を採用する事も可能で有ることは言うまでもない。
【００４２】
本発明に係る当該駐車場に於ける車両の入出庫管理装置１００を実際に稼働させるための全体的なシステムの概要は、図１に示されている通り、所定の駐車場２に於いて、従来から公知となっている駐車券発券手段を、本発明に従って改良した当該入庫ゲート部３の近傍に配置されている当該駐車券発券手段６と、従来から公知となっている出庫管理操作手段を、本発明に従って改良した当該出庫ゲート４の近傍に配置されている当該出庫管理操作手段１１と、従来から公知となっている事前駐車料金精算手段を、本発明に従って改良した、当該駐車場２内部或いは当該駐車場２の外部に配置されている当該事前駐車料金精算手段１５とから構成された駐車場に於ける車両の入出庫管理装置１００であって、且つ当該駐車券発券手段６と、当該出庫管理操作手段１１と、当該事前駐車料金精算手段１５とを、それぞれ当該駐車場２の近傍に設けられている適宜の演算制御手段（ＣＲＴ）３００、３０５と適宜の通信線３０３を介して電気的にそれぞれ個別に接続させるとともに、当該演算制御手段（ＣＲＴ）３００には、別途当該それぞれの手段をそれぞれの状態に応答して駆動制御をおこなわせる為の適宜のソフトウェア及び当該複数種類の指定期間パス券１７とその料金体系とを格納しているメモリー手段３０１と適宜の計時手段３０４並びに当該駐車場２の管理者が、当該駐車場２の稼働状態や当該駐車場２の周辺環境に応答して、適宜駐車券の種類の設定や発行枚数或いは各種の料金体系の設定を変化させることを可能とする操作パネル（操作キーボード）３０２等が設けられている事が望ましい具体例である。
【００４３】
一方、本発明に於いて、当該車両１のユーザーが、本発明の具体例の一つである当該指定期間パス券１７による駐車場２への入出庫システムを利用することなく、従来の時間貸し方式による駐車券５を出庫まで使用する事も同然有りうることであり、その場合に、当該事前駐車料金精算手段１５を利用して、当該駐車場２から出庫する直前或いは所定の時間前の段階で事前に所定の駐車時間に相当する所定の駐車料金を事前に支払って、所定の駐車料金事前支払済証８０を入手しておき、実際に当該車両１のユーザーが当該駐車場２を出庫する際には、当該出庫管理操作手段１１で、当該駐車料金事前支払済証８０のみを当該出庫管理操作手段１１の当該駐車券挿入手段３０に投入することによって、当該出庫操作に要する操作時間を短縮して迅速に出庫操作を完了させる方法である。
かかる場合には、従来では、当該事前駐車料金精算手段１５に於いて、当該駐車券５とは別の紙或いはプラスチックの平板カードを利用して、当該駐車料金事前支払済証８０を発行しているので、余分な材料費が発生する他、当該駐車料金事前支払済証８０を廃棄する為の操作や費用が発生する為、経済的なシステムとは言えないという欠点があった。
【００４４】
これに対し、本発明に於いては、当該駐車料金事前支払済証８０も上記した当該駐車券５や当該指定期間パス券１７と同じ原板２００を使用して、共通化すれば、上記した問題も解決されることになる。
係る具体例においては、当該平板状のカード基板２００の一方の面に形成されている当該フォーマット部２０４には、図６（Ｂ）に例示されている様に、項目（４）の記録情報として当該カード基板２００が、当該駐車料金事前支払済証８０であることを示す“２”のフラッグが記録されており、又、新たに項目（６）が追加され、当該項目（６）には、駐車料金の事前支払いが完了しているか否かの情報を記載するものであって、例えば、当該事前に駐車料金の支払いが完了している状態を“１”で表示し、当該事前に駐車料金の支払いが完了していない状態を“０”で表示するようにしておくものである。
この様に構成する事によって、本発明に於いて使用される全ての種類の平板状のカード基板２００の廃棄量を大幅に低減させ、書換，乗換方法の積極的活用により、ランニングコストが大幅に低減されることになる。
【００４５】
以下に、本発明に係る当該駐車場に於ける車両の入出庫管理装置１００及び当該駐車場に於ける車両の入出庫管理方法の更に詳細な具体例を図面を参照しながら詳細に説明する。
先ず、本発明に係る当該駐車場に於ける車両の入出庫管理装置１００に対応する第２の態様である該駐車場に於ける車両の入出庫管理方法の基本的技術構成は、例えば以下の通りである。
【００４６】
即ち、少なくとも、車両１が駐車場２に入庫する為の入庫ゲート装置３と当該車両１が当該駐車場２から出庫する為の出庫ゲート装置４とが設けられている駐車場２に於ける車両１の入出庫管理装置１００であって、当該車両１の入出庫管理装置１００には、少なくとも、当該入庫ゲート装置３の近傍に配置されており、個々の車両１の入庫時毎に、当該車両１の入庫日情報及び入庫時刻情報を記録した駐車券５を発行する、駐車券取り出し手段４１を含む駐車券発行手段６と、当該出庫ゲート装置４の近傍に配置されており、個々の車両の出庫時毎に、当該車両１のユーザーから提供される当該駐車券５若しくは、後述する駐車料金事前支払済証８０が挿入される駐車券若しくは駐車料金事前支払済証挿入手段３０を含み、且つ、当該駐車券若しくは駐車料金事前支払済証挿入手段３０に受け入れられた当該駐車券５若しくは駐車料金事前支払済証８０から、当該車両１が入庫した日情報及び時刻情報と当該車両１が当該駐車場２を出庫する日情報及び時刻情報とから別途に決定される当該車両の駐車時間に対応する駐車料金を表示する表示手段３１と、当該表示手段３１に表示された当該駐車料金に相当する駐車料金の入金受入手段３２と、当該入金受入手段３２に当該駐車料金の入金が有ったとの判定があった場合若しくは、当該駐車料金事前支払済証８０を認識した場合に、当該出庫ゲート４を開放する様に構成された出庫管理操作手段１１と、当該入庫ゲート装置３と当該出庫ゲート装置４との何れにも近接していない任意の部位に設けられており、当該車両１の出庫予定時間の直前、若しくは予め設定された時間以前に、当該車両１のユーザーから提供される当該駐車券１を受け入れる駐車券挿入手段１２を含み、当該挿入された当該駐車券５が保持する当該車両が入庫した年月日情報及び時刻情報と当該車両が当該駐車場を出庫する予定年月日情報及び予定時刻情報とから別途に決定される当該車両の駐車時間に対応する駐車料金を表示する駐車料金表示手段１３と、当該表示手段１３に表示された当該駐車料金に相当する駐車料金の入金受入手段１４と、当該入金受入手段１４に当該駐車料金の入金が有ったとの判定があった場合に、当該駐車料金に対する駐車料金事前支払済証８０を発行する駐車料金事前支払済証発行手段１５６とで構成されている事前駐車料金精算手段１５と、が設けられている車両の入出庫管理装置１００に於いて、当該車両１のユーザーが既に所有する当該駐車券５を当該事前駐車料金精算手段１５に於ける当該駐車券挿入手段１２内に挿入する際に、自己の意思により選択的に操作出来る、当該事前駐車料金精算手段１５に別途設けられている指定期間パス券発券要求手段２５０を選択操作させる第１の工程、当該第１の工程の後に、当該車両１のユーザーが、当該事前駐車料金精算手段１５に別途設けられている当該指定期間パス券価格表示手段２５３に表示される指定期間パス券の購入価格に相当する料金の支払いを実行させる第２の工程、当該第２の工程に引き続き、当該車両１のユーザーが、当該指定期間パス券の購入価格に相当する料金の支払いを完了させた場合には、当該車両１のユーザーが既に所有する当該駐車券５を、当該駐車券５が既に記憶している当該車両１の入庫年月日情報と入庫時刻情報とを維持したまま、当該車両１の入庫年月日情報と入庫時刻情報を起算時刻とする指定期間の有効期限を持った指定期間パス券１７として上書き変更処理する第３の工程、当該指定期間パス券１７を当該車両１のユーザーに返却する第４の工程、当該車両１のユーザーが当該出庫ゲート手段４の当該駐車券５若しくは当該駐車料金事前支払済証８０の挿入手段３０に挿入する第５の工程、当該出庫管理操作手段１１に別途設けられている当該指定期間パス券識別手段１１０に於いて、当該指定期間パス券１７の有効期限を判定する第６の工程、当該第６の工程に於いて、当該指定期間パス券１７の有効期限が未だ有効であると判断された場合にのみ当該指定期間パス券１７を当該車両１のユーザーに返却した後、当該出庫ゲート４のゲートを開放して、当該車両１の出庫を許可する第７の工程、その後、当該車両１のユーザーが同一駐車場２に再入庫するに際して、当該車両１のユーザーに対して、当該入庫ゲート装置３の近傍に設けられている当該駐車券発券手段６に別途に設けられている指定期間パス券挿入手段４２に、当該指定期間パス券１７を挿入させる第８の工程、当該入庫ゲート装置の近傍に設けられている当該駐車券発券手段６に別途に設けられた当該指定期間パス券認識手段４３及びその有効期限判別手段４５とにおいて、当該指定期間パス券１７の有効期限が有効であるか否かを判断し、当該有効期限が有効であると判断された場合にのみ、当該指定期間パス券１７に再入庫時の年月日情報と時刻情報とを追加記録して、当該指定期間パス券１７を当該車両１のユーザーに返却する第９の工程、当該車両１のユーザーが当該指定期間パス券１７を当該出庫ゲート手段４の近傍に設けられている当該出庫管理操作手段１１に於ける、当該駐車券５若しくは当該駐車料金事前支払済証８０の挿入手段２３０に挿入する第１０の工程、当該出庫管理操作手段１１に別途設けられている当該指定期間パス券識別手段２１０に於いて、当該指定期間パス券１７の有効期限を判定する第１１の工程、当該第１１の工程に於いて、当該指定期間パス券１７の有効期限が未だ有効であると判断された場合にのみ当該指定期間パス券１７を当該車両１のユーザーに返却した後、当該出庫ゲート４のゲートを開放して、当該車両１の出庫を許可する第１２の工程、その後、当該指定期間パス券１７の有効期限が無効と判断される時点まで、当該第８の工程乃至当該第１２の工程までの各工程が繰り返えされることを許可する第１３の工程とから構成されている事を特徴とする駐車場への車両の入出庫管理方法である。
【００４７】
尚、上記本発明の第２の態様に於ける当該駐車場への車両の入出庫管理方法に於いては、更に、当該指定期間パス券１７の有効期限が無効と判断された場合には、当該指定期間パス券１７の有効期限年月日時刻情報の有効期限年月日時刻情報と当該車両１の出庫処理操作時点における年月日情報及び時刻情報から、当該指定期間パス券１７の有効期限日及び時刻以降で、当該車両の出庫処理操作が実行された日及び時刻までの超過駐車時間を求め、当該超過駐車時間に相当する追加駐車料金情報を所定の当該駐車料金表示手段２２５に表示させると共に、当該車両１のユーザーに対して、当該追加駐車料金に相当する料金を追加支払い処理するよう要請する第１４の工程が更に付加されている事も望ましい具体例である。
又、本発明に於いては、当該駐車券５若しくは当該指定期間パス券１７には、当該駐車券のシリアルナンバーと、車両の入庫年月日情報と入庫時刻情報及び入出庫状態フラグ情報の少なくともいずれかが記録されている事が好ましい具体例である。
【００４８】
更に、本発明に於いては、当該駐車券５若しくは当該指定期間パス券１７には、当該駐車券が、通常の時間貸し方式の駐車券５が指定期間パス券１７かを識別する為のフラグ情報及び当該駐車券が当該指定期間パス券１７の場合に於ける有効期限情報が記録されている事も好ましい具体例である。
一方、本発明に於いては、当該指定期間パス券１７には、元の駐車券５の発券時のシリアルナンバーと、元の駐車券５の発券時の入庫時刻情報と元の駐車券に於ける入出庫状態フラグ情報並びに、当該元の駐車券５を当該指定期間パス券１７に上書き変更処理する時点迄の駐車時間に対応する駐車料金の額の情報が記載されていると共に、当該指定期間パス券識別フラグ情報及び当該指定期間パス券の有効期限情報とが記録されている事も好ましい具体例である。  
更に、本発明に於いては、当該駐車券５が当該指定期間パス券１７に変更された場合に、当該元の駐車券５に記載されて入庫時間から、当該変更処理時点までに発生した駐車時間情報は、以後の当該車両１による入出庫処理に際しては無視されることになる。
【００４９】
一方、本発明に於いて、当該出庫管理操作手段１１には、更に、当該車両１のユーザーから提供された当該指定期間パス券１７の有効期限が期限超過により無効であると判断された場合に於いて、当該指定期間パス券１７が当該出庫管理操作手段１１に提供された日時時刻情報と当該指定期間パス券１７の最終有効期限時刻情報との差分を求め、当該差分値に相当する超過駐車料金を算出する機能と、当該算出された超過駐車料金を表示する為に当該出庫管理操作手段１１に別途設けられた当該超過駐車料金を表示する精算処理結果表示手段２４２と、当該超過駐車料金に相当する料金の入金受入手段２４０と、当該入金受入手段２４０に当該超過駐車料金に相当する料金の入金が有ったとの判断があった場合に、当該出庫ゲート４を開放する操作を実行する出庫ゲート手段３７とで構成されていることも好ましい具体例である。
更に、本発明に於いては、当該事前駐車料金精算手段１５及び又は当該出庫管理操作手段１１には、所定の駐車料金受入手段２７とつり銭返還手段２１，１５５と領収書発行手段３４の少なくとも一つが設けられている事も好ましい具体例である。
【００５０】
又、本発明に於いては、当該駐車料金発券手段６、当該出庫管理操作手段１１及び当該事前駐車料金精算手段１５に於ける所定料金の支払いに、現金カード或いはインターネットバンキングによる支払い方法が使用される事も好ましい具体例である。
一方、本発明に於いては、当該駐車券取り出し手段４１を含む当該駐車券発行手段６に、当該指定期間パス券１７を受入れる指定期間パス券挿入手段４２と、当該指定期間パス券挿入手段４２に新たに挿入された当該指定期間パス券１７の年月日時刻情報と、当該指定期間パス券１７が保持している当該指定期間パス券１７の有効期限情報とを比較して、当該新たに挿入されてきた当該指定期間パス券１７が有効であるか否かを判断する有効性判定手段４５とが更に設けられており、当該有効性判定手段４５に於いて、当該指定期間パス券１７が有効と判断された場合に限り、当該指定期間パス券１７を当該車両１のユーザーに返却する指定期間パス券返却手段４９と当該入庫ゲート３を開放する為の入庫ゲート開放指示手段５０とが設けられている事も好ましい具体例である。
【００５１】
一方、本発明に係る当該第２の態様に関する発明に関しては、当該出庫管理操作手段１１に於いて、当該車両１のユーザーから提供された当該指定期間パス券１７の有効期限が期限超過により無効であると判断された場合に、当該指定期間パス券１７が当該出庫管理操作手段１１に提供された年月日時刻情報と当該指定期間パス券１７に記憶されている最終有効期限年月日時刻情報との差分を求め、当該差分値に相当する超過駐車料金を算出する工程と、当該算出された超過駐車料金を、当該出庫管理操作手段１１に別途設けられた当該超過駐車料金表示手段２２５に表示する工程と、該超過駐車料金に相当する料金を受入れ、当該該超過駐車料金に相当する料金の入金が有ったとの判断があった場合に、当該出庫ゲート４を開放する工程とが実行される様に構成されている事も好ましい具体例である。
更に、本発明に係る駐車場に於ける車両の入出庫管理方法に於いては、当該駐車料金発券手段６、当該出庫管理操作手段１１及び当該事前駐車料金精算手段１５に於ける所定料金の支払いに、現金カード或いはインターネットバンキングによる支払い方法が使用される様に構成されている事も好ましい具体例である。
【００５２】
次に、本発明に係る当該駐車場２に於ける車両１の入出庫管理方法のより詳細な具体的実施例を図示のフローチャートを参照しながら説明する。
（１）車両の駐車場への入庫処理
先ず、車両の駐車場への入庫処理方法の例を図１０を参照しながら説明する。即ち、ステップ１に於いて、当該車両１のユーザーは、当該駐車場２の入庫ゲート３の前で当該車両を停止させた後、ステップ２に於いて、当該入庫ゲート３に近接して設置されている当該駐車券発券手段６に設けられている当該駐車券発券要求手段（キー手段）４０を操作する。その後、ステップ３に於いて、新たに発行される当該駐車券５に関する連続番号の一つである駐車券番号と、適宜に設けられている当該計時手段により決定される当該車両の入庫年月日並びに入庫時刻に関する情報とを、当該新たに発行される当該駐車券５の一方の面に磁気記録方式で構成されたフォーマット部２０４に記憶させると同時に、当該フォーマット部２０４の入出庫状態フラグ部には、入庫状態であることを示す“１”の情報を記憶させ且つ当該フォーマット部２０４の駐車券識別式フラグ部には、通常の駐車券５であることを示す“０”の情報を記憶させるとともに、当該フォーマット部２０４の指定期間パス券有効期限情報記憶フラグ部には、未だ当該有効期限は設定されていないので、“０”の情報を記憶さる操作を実行する。
尚、当該ステップ３に於いては、更に、当該フォーマット部２０４に設けられた当該駐車料金事前支払済証８０に関する認識項目部には、当該駐車料金事前支払済証８０ではない事を示す“０”の情報を記憶させる事も好ましい具体例である。
【００５３】
次いで、ステップ４に進んで、当該新たに発行された当該駐車券の何れかの面に、当該車両が当該駐車場２に入庫した年月日と入庫した時刻並びに当該駐車券番号を適宜の印刷手段を使用して印刷するとともに、場合によっては、当該駐車券５の適宜の一面に、当該駐車券５が通常の時間貸し方式の駐車券である事を表示する標識を別途印刷する事も望ましい事も好ましい具体例である。
係る処理が完了した後に発行される当該駐車券５のフォーマット部２０４の記録状態は図１１（Ａ）に例示されており、又、係る処理が完了した後に発行される当該駐車券５の印刷面の概要は、図１１（Ｂ）に例示されている。
その後、ステップ５に進んで、当該新たな駐車券５を当該駐車券発券手段６に設けられた当該駐車券排出手段４１から排出させ、ステップ６に進んで、当該車両１のユーザーが当該駐車券５を引き取る事によって、当該入庫ゲート開放手段５０が駆動され、当該入庫ゲートが開放されるので、当該車両の入庫が完了する。
【００５４】
（２）車両の駐車場からの出庫処理
本発明に於ける当該車両の駐車場からの出庫処理には、２つのタイプがあり、その一つは、当該駐車券５をそのまま使用して出庫する方法であって、その場合には、直接当該出庫管理操作手段１１を利用して出庫処理を行う場合と、当該駐車券５を当該事前駐車料金精算手段１５で、一旦事前に所定の駐車料金を支払い、所定の駐車料金事前支払済証８０を入手した上で、当該駐車料金事前支払済証８０を使用し手当該出庫管理操作手段１１で出庫処理操作を行う方法であり、又別の方法としては、一旦入庫して取得した当該駐車券５を指定期間パス券１７に書換変更し、当該指定期間パス券１７で繰り返し入出庫を実行する方法である。
即ち、当該出庫処理を行う方法の手順は、図１２のフローチャートに例示されているが、先ず、車両１の出庫時に、当該駐車券５を使用する場合の手順を示すならば、スタート後ステップ１０に於いて、当該車両１のユーザーが当該駐車券５を当該出庫管理操作手段１１に設けられている当該平板状のカード基板２００挿入手段２３０（当該駐車券挿入手段３０と兼用可能である）に挿入した後、ステップ１１に於いて、当該挿入されたカードが当該駐車券５であるか否かが判断され、ＹＥＳであれば、ステップ１２に進んで、当該駐車券５の入庫時刻情報を読み出し、その後ステップ１３に於いて、今回の出庫時の時刻情報を読み出し、ステップ１４に於いて、今回の当該車両１の駐車時間を演算して算出し、ステップ１５に於いて、今回の駐車時間に対応する駐車料金を決定して駐車料金表記手段３１に表示する。
【００５５】
その後、ステップ１６に移り、当該車両１のユーザーに当該駐車料金の支払いを駐車料金受入れ手段３２に入金するように指示を出し、ステップ１７に於いて当該駐車料金の支払いが有ったか否かが判断され、ＮＯであれば、ステップ１６に戻り、ＹＥＳであれば、ステップ１８に進んで、当該入金額が所定の駐車料金と一致しているか否かが判断され、ＹＥＳであれば、ステップ１９に進んで、当該駐車券５を回収し、ステップ２０で領収書の発行を行い、ステップ２１に進んで、当該出庫ゲートを開放し、ステップ２２で出庫処理が完了してＥＮＤとなる。
一方、ステップ１８に於いて、ＮＯであれば、ステップ２３に進んで、当該入金された料金が当該駐車料金と一致せず、不足している状態であるか否かが判断され、ＹＥＳであれば、ステップ２６に於いて、その差額の料金の額を料金表示手段３３に表示すると共に、ステップ２７に於いて、当該車両１のユーザーに当該不足料金の入金を催促し、ステップ２８に於いて当該不足料金の入金が有ったか否かが判断され、ＮＯであれば、ステップ２７に戻り、ＹＥＳであれば、ステップ１８に戻って上記した各工程の操作が繰り返される。
【００５６】
一方、ステップ２３に於いてＮＯであれば、ステップ２４進んで、当該入金金額は、当該駐車料金よりも超過する額の入金であると判断し、ステップ２５に進んで、釣銭を返却する操作が実行され、ステップ１９に進む事になる。
次に、当該出庫処理操作に於いて、上記した指定期間パス券１７を使用して出庫操作を行う場合の操作フローを説明するならば、当該ステップ１１に於いてＮＯであれば、ステップ３０に於いて、当該挿入されたカードが当該指定期間パス券であるか否かが判断され、ＹＥＳであれば、つまり当該挿入されたカードが当該指定期間パス券１７であることが確認されると、ステップ３１に於いて、当該指定期間パス券１７の記憶情報が読み出され、当該指定期間パス券１７に於ける出庫状態フラグのデーターが出庫状態を示すフラグ“１”となっているか否かが判断され、ＮＯであれば、ステップ５４に進み、当該指定期間パス券１７を回収し、ＥＮＤとなるが、ステップ３１に於いてＹＥＳであれば、ステップ３２に於いて、当該指定期間パス券１７の有効期限が有効であるか無効であるを判断し、ステップ３３に於いて、当該指定期間パス券１７の有効期限は有効か否かが判断され、ＹＥＳであれば、ステップ３４に進んで、当該車両の今回の駐車料金は０円であることを表示し、ステップ３５に進んで、入出庫状態フラグの情報を出庫状態を示す“ “０”の情報に書き換える。
【００５７】
その後、ステップ３６に於いて、当該指定期間パス券１７の所定の面の一部の当該フォーマット部領域部２０４に、出庫時の年月日情報と出庫時刻情報を記憶させると同時に、同じ情報を当該指定期間パス券１７の所定の面の一部に適宜の印刷手段を使用して印刷する操作が実行され、その後ステップ３７に進んで、当該指定期間パス券１７が当該車両１のユーザーに返却される操作が実行された後に、ステップ２１に進んで、出庫ゲートが開放された後、ステップ２１に進んで出庫とになる。
【００５８】
一方、ステップ３３でＮＯであれば、つまり当該指定期間パス券１７の有効期限が無効となっていた場合には、ステップ４１に進んで、当該指定期間パス券１７の有効期限の最終日の年月日情報及び時刻情報と、今回出庫処理する際の年月日情報及び時刻情報とから超過駐車料金額を演算して求め、その結果を適宜の超過駐車料金表示手段３１に表示して、当該車両１のユーザーに追加料金の支払いを指示し、ステップ４３に進んで、当該超過駐車料金に相当する料金の入金が有ったか否かが判断され、ＮＯであれば、ステップ４２に戻り、ＹＥＳであれば、ステップ４４に進んで、当該入金額は、当該超過駐車料金と一致するか否かが判断され、ＹＥＳであれば、ステップ４５に於いて、当該指定期間パス券１７は回収され、ステップ２０に進んで、領収書を発行した後、ステップ２１に進んで、その後の各処理工程が実行されることになる。
一方、ステップ４４で、ＮＯであれば、つまり当該入金金額が当該超過駐車料金の金額と一致していない場合には、ステップ４８に進んで、当該入金金額が当該超過駐車料金の金額よりも少ない状態で不足しているか否かが判断され、ＹＥＳであれば、ステップ４７に於いて、不足駐車料金の支払いを請求してステップ４４に戻り、ステップ４８に於いてＮＯであれば、ステップ４９に進んで、当該入金金額が当該超過駐車料金の金額よりも多い状態であると判断され、ステップ５０に於いて当該車両１のユーザーにつり銭を戻した後、ステップ４５に戻ってそれ以降の操作が実行される事になる。
【００５９】
更に、当該出庫処理操作に於いて、上記した駐車料金事前支払済証８０を使用して出庫操作を行う場合の操作フローを説明するならば、ステップ３０に於いて、当該挿入されたカードが指定期間パス券１７でないと判断される事により、ステップ５１に進み、当該挿入されたカードが当該駐車料金事前支払済証８０であるか否かが判断され、ＮＯであれば、ステップ５３に進んで当該挿入されたカードを回収しＥＮＤとなるが、ステップ５１でＹＥＳであれば、ステップ５２に於いて、当該駐車料金事前支払済証８０に記憶されている当該駐車料金事前支払い年月日情報及びその時刻情報並びに支払い料金を確認した後、ステップ５３で当該駐車料金事前支払済証８０を回収し、ステップ２１に進み、その後の各工程が実行されることになる。
当該指定期間パス券１７を利用して当該車両１の出庫処理操作を行った場合の当該指定期間パス券１７に於ける当該フォーマット部２０４の記録情報の例が図１３（Ａ）に示されており、又、当該指定期間パス券１７に於ける１表面部の印刷部位の印刷表示状態の例は、図１３（Ｂ）に示されている。
尚、本発明に於いて出庫処理操作を行う際に、当該駐車券５をそのまま継続して使用する場合には、当該駐車券５の当該フォーマット部２０４の記録情報部お駐車券識別フラグは”０”の状態に維持される事は言うまでもない。
【００６０】
（３）駐車券を指定期間パス券に変更する場合の処理
次に、本発明に於いて、一旦入庫した際に取得した通常の時間貸し方式による駐車券５を途中で指定期間パス券１７に変更して以後の当該駐車場２への入出庫処理に活用する場合の、当該駐車券５を当該指定期間パス券１７に変更処理操作手順を図１４のフローチャートを参照しながら説明する。
先ず、スタート後、ステップ６０に於いて、当該車両１のユーザーは、当該駐車券５を持って、当該事前駐車料金精算手段１５に立ち寄り、ステップ  ６１に於いて、当該事前駐車料金精算手段１５に別途設けられている当該指定期間パス券発券請求手段２５０操作する。
その際、ステップ６２に於いて、当該指定期間パス券に関し、複数種類のパス券、例えば、指定期間パス券、４８時間パス券、７２時間パス券、半日パス券、１．５日パス券が表示され、の中から一つを選ぶ等の選択操作手段２５２を操作し、その後、ステップ６３に於いて、当該車両１のユーザーがそれらのメニューの中から選択した好みの当該指定期間パス券１７を選択指定期間パス表記手段２５３に表示する。
【００６１】
次いで、ステップ６４に於いて、当該車両１のユーザーが、既に所有する当該駐車券５を当該事前駐車料金精算手段１５に於ける駐車券挿入手段１４に挿入すると、ステップ６５に於いて、当該駐車券５が実際の駐車券であるか否かが判断され、ＮＯであれば、ステップ６６に於いて、当該駐車券５を当該車両１のユーザーに返却するが、ＹＥＳであれば、ステップ６７に進んで、今回当該車両１のユーザーが選択した指定期間パス券に関し、当該車両１のユーザーが入庫した時刻から、当該選択した指定期間パス券の有効期限が経過していないか否かが判断され（選択された指定期間パス券１７が２４時間パス券である場合には、当該有効期限年月日時刻は、当該車両１が入庫した年月日時刻から２４時間後となり、又、当該選択された指定期間パス券１７が４８時間パス券である場合には、当該有効期限年月日時刻は、当該車両１が入庫した年月日時刻から４８時間後となる様に判断する事になる。）、ＹＥＳであれば、ステップ６６に於いて、当該駐車券５を当該車両１のユーザーに返却するが、ＮＯであれば、ステップ６８に進んで、今回選択された当該指定期間パス券１７に対応する料金が当該事前駐車料金精算手段１５の当該駐車料金表示手段２５３に表示され、当該車両１のユーザーに当該料金の支払いを指示する。
【００６２】
その後、当該車両１のユーザーがステップ６９に於いて、指定された料金を支払った後、ステップ７０に於いて、当該入金金額は、当該選択された指定期間パス券料金と一致するか否かが判断され、ＹＥＳであれば、ステップ７７に進むが、ＮＯであれば、ステップ７１に進んで、当該入金金額が当該指定期間パス券料金の金額よりも少ない状態で不足しているか否かが判断され、ＹＥＳであれば、ステップ７２に於いて、当該車両１のユーザーに当該不足料金の入金を要請し、ステップ７３で当該入金額が当該不足金額と一致するか否かが判断され、ＮＯであれば、ステップ７２に戻るが、ＹＥＳであれば、ステップ７７に戻って、それ以降の各工程が繰り返される。
【００６３】
一方、ステップ７３に於いてＮＯであれば、ステップ７４に進んで、当該入金金額が当該追加料金に対して不足しているか否かが判断され、ＹＥＳであれば、ステップ７２に戻るが、ステップ７４でＮＯであれば、ステップ７５に進んで、超過と判断し、ステップ７６に於いて当該車両１のユーザーに釣銭を戻した後、ステップ７７に戻ってそれ以降の操作が実行される事になる。
一方、ステップ７７に於いて、当該駐車券５に記録されている情報の内、当該駐車券５の当該駐車券番号（シリアルナンバー）と当該駐車券種別フラグ情報と当該駐車券の入庫年月日情報及びその時刻情報を読み出すと共に、今回選択された当該特定時間指定期間パス券１７の有効期限日を演算して決定する操作が実行され、次いで、ステップ７８に於いて、当該駐車券５の一表面部に、当該指定期間パス券である事を示す標識を上書き印刷方式により印刷すると同時に、当該駐車券５の当該フォーマット部２０４に、当該駐車券の入庫年月日情報並びにその時刻情報と、これまでの駐車時間に相当する駐車料金の金額を上書き記憶させ、更に、当該駐車券識別フラグ部に当該指定期間パス券である事を意味する“１”記録すると同時に、当該指定期間パス券有効期限フラグ部に、当該選択された指定期間パス券の有効期限をその年月日及び時刻情報を記録する。
【００６４】
次いで、ステップ７９に進んで、領収書を発行し、ステップ８０に於いて、当該駐車券５に上書き記録並びに上書き印刷を施した同一平板状原板で、当該指定期間パス券である事が表示された当該指定期間パス券１７を指定期間パス券発行手段２６０から発行され、当該車両１のユーザーがそれを取り上げて以後の入出庫処理操作に使用する事になり、ＥＮＤとなる。
本具体例に於いて、使用される当該特定指定期間パス券１７に於ける当該フォーマット部２０４の記憶情報の例が図１５（Ａ）に示されており、又、当該特定指定期間パス券１７に於ける印刷表示部分の具体例が図１５（Ｂ）に示されている。
【００６５】
（４）駐車券から駐車料金事前支払済証を発行する処理
次に、本発明於いて、当該駐車券５をそのまま当該駐車料金事前支払済証８０に変更する場合の操作手順を図１６のフローチャートを参照しながら詳細に説明する。
即ち、スタート後、ステップ９０に於いて、当該車両１のユーザーが当該事前駐車料金精算手段１５まで移動し、ステップ９１に於いて、当該ユーザーが所有する当該駐車券５を当該事前駐車料金精算手段１５に設けられている当該駐車券挿入手段１２又は１９９に挿入する。
その後、ステップ９２に於いて、当該駐車券５が実際の駐車券であるか否かが判断され、ＮＯであれば、ステップ９３に於いて、当該駐車券５を当該車両１のユーザーに返却するが、ＹＥＳであれば、ステップ９４に進んで、当該駐車券５のシリアルナンバー情報、駐車券種別フラグとして、通常の駐車券である事を示す“０”の情報及び入庫した年月日及びその時刻に関する情報を読み出し、ステップ９５に於いて、当該駐車券５の入庫年月日情報と入庫時刻情報及び出庫予定時刻の年月日情報とその時刻情報とから、今回の駐車時間を演算により求め、当該駐車料金に対応する当該車両１の駐車料金を決定して当該事前駐車料金精算手段１５に於ける駐車料金表示手段１３に表示し、当該車両１のユーザーに当該料金の支払いを指示する。
【００６６】
その後、当該車両１のユーザーが当該料金を入金した後、ステップ９６に於いて、当該入金金額が入金されたか否かが判断され、ＮＯであれば、ステップ９６に戻るが、ＹＥＳであれば、ステップ９７に於いて、当該入金された金額が指定された当該駐車料金と一致するか否かが判断され、ＹＥＳであれば、ステップ１０２に進むが、ＮＯであれば、ステップ９８に進んで、当該入金金額が当該指定された駐車料金よりも少ない状態で不足しているか否かが判断され、ＹＥＳであれば、ステップ９９に於いて、当該車両１のユーザーに当該不足料金の額を提示してその入金を要請し、ステップ１０５に於いて、追加料金の入金の有無が判断され、ＮＯであれば、ステップ１０５に戻るが、ＹＥＳであればステップ１０６に於いて、当該入金額が当該不足金額と一致するか否かが判断され、ＹＥＳであれば、ステップ１０２に戻って、それ以降の各工程が繰り返されるが、ＮＯであれば、ステップ１０７に於いて、当該入金金額が当該追加料金に対して不足しているか否かが判断され、ＹＥＳであれば、ステップ９９に戻るが、ＮＯであれば、ステップ１００に進んで、超過と判断し、ステップ１０１に於いて当該車両１のユーザーに釣銭を戻した後、ステップ１０２に戻ってそれ以降の操作が実行される事になる。
【００６７】
一方、ステップ１０２に於いて、当該駐車券５の当該フォーマット部２０４に記録されている情報の内、当該駐車券５の当該駐車券番号（シリアルナンバー）と当該駐車券の入庫年月日情報及びその時刻情報はそのまま保持すると共に、当該駐車券種別フラグ情報を通常の駐車料金を示す“０”のフラグ情報から当該駐車料金事前支払済証８０を意味する“２”のフラグ情報に上書き記録処理して変更させ、同時に今回の駐車料金を記録した上で、それらの情報を当該駐車券５の一面に於ける印刷表示領域に上書き印刷処理し、且つ当該駐車料金事前支払済証８０を意味する標記文字を当該駐車券５に表示されている通常の駐車券という標記文字のうえから上書き印刷によって書換印刷して表示する。
その後、ステップ１０３に於いて、領収書を発行し、ステップ１０４に於いて、当該駐車券５と同一の平板状原板を書き換え処理により構成された当該駐車料金事前支払済証８０を、当該駐車料金事前支払済証発行手段１５６から発行し、ＥＮＤとなる。
尚、当該駐車料金事前支払済証８０のフォーマット部２０４の構成例と印刷表示部の表示例が図１７（Ａ）及び（Ｂ）に示されている。
【００６８】
（５）指定期間パス券を使用して再入庫する場合の処理
次に、本発明に於ける当該指定期間パス券１７を使用して再入庫処理する場合の具体例を図１８で詳細に説明する。
先ず、ステップ１１０に於いて、当該車両１のユーザーは、当該駐車場２の入庫ゲート３の前で当該車両を停止させた後、ステップ１１１に於いて、当該入庫ゲート３に近接して設置されている当該駐車券発券手段６に設けられている当該指定期間パス券挿入手段２３０（図８に於ける従来例の３０に相当する）に当該指定期間パス券１７を挿入する。
次いで、ステップ１１２に於いて、当該挿入された駐車券が、当該指定期間パス券であるか否かが判断され、ＮＯであれば、ステップ１１５に進んで、当該挿入された駐車券を当該車両１のユーザーに返却しＥＮＤとなるが、当該ステップ１１２に於いて、ＹＥＳであれば、ステップ１１３に進み、当該指定期間パス券１７の出庫状態フラグを読み出し、出庫済みであるか否か判断され、ＮＯであれば、つまり当該フラグが入庫状態を示す“１” フラグである場合には、ステップ１１５に進んで、当該挿入された駐車券を当該車両１のユーザーである場合、に返却しＥＮＤとするが、当該ステップ１１３に於いてＹＥＳであれば、つまり当該フラグが出庫済状態を示す“０” フラグである場合には、ステップ１１４に進んで、当該指定期間パス券１７は有効期限内にあるか否かが判断され、ＮＯであれば、ステップ  １１５に進んで、当該挿入された指定期間パス券１７を当該車両１のユーザーに返却しＥＮＤとするが、当該ステップ１１４に於いてＹＥＳであれば、ステップ１１６に進んで、当該指定期間パス券１７の当該フォーマット部２０４に記憶されている各種の情報を読み出して確認すると同時に、入庫時刻情報を今回再入庫した時刻に書換記憶させ、更には、当該指定期間パス券１７に於ける入出庫状態フラグ部の情報を入庫状態を示す“１”のフラグに書き換えて記録する。
【００６９】
その後、ステップ１１７に進み、当該指定期間パス券１７の印刷標記領域部に入庫時刻として当該再入庫時刻の年月日情報とその時刻情報、識別用のシリアルナンバー情報（発券番号情報）、及び当該指定期間パス券１７の有効期限情報、指定期間パス券を示す識別子“１”等を上書き印刷方式により印刷表示する。
次いで、ステップ１１８に進み、当該指定期間パス券１７を車両１のユーザーに返却した後、ステップ１１９に於いて、入庫ゲートを開放し、ステップ  １２０に於いて当該車両の再入庫処理操作が完了する。
上記具体例に於ける当該指定期間パス券１７のフォーマット部２０４の記憶情報は、図１９（Ａ）に例示されており、又、当該指定期間パス券１７の印刷表示面の印刷標記状況は、図１９（Ｂ）に例示されている。
【符号の説明】
【００７０】
１：車両  
２：駐車場
３：入庫ゲート装置
４：出庫ゲート装置
５：駐車券
６：駐車券発行手段
１１：出庫管理操作手段
１２：駐車券挿入手段
１３：駐車料金表示手段
１４：駐車料金受入手段
１５：事前駐車料金精算手段
１７：指定期間パス券
２４：追加入金金額と表示された追加駐車料金金額比較演算手段
３０：駐車券及び又は駐車料金事前支払済証挿入手段
３０’ ：指定期間パス券１７の挿入手段
３１：駐車料金表示手段
３２：駐車料金受入手段
３３：比較演算結果表示手段
３６：つり銭供給手段
３７：出庫ゲート開放手段
３８：領収書発行手段
４０：駐車券発要求手段（キー手段）
４１：駐車券排出供給手段、駐車券取り出し手段
４２：指定期間パス券挿入手段
４３：指定期間パス券識別手段
４４：指定期間パス券有効期限報読取、判別手段
４５：指定期間パス券識別、有効性／無効性判別判断結果表示手段
４６：指定期間パス券返却手段  
４７：入庫情報書込手段
４８：印刷手段
４９：カード基板供給手段、駐車券供給手段、回収貯蔵手段
５０：入庫ゲート開放手段
８０：駐車料金事前支払済証
１００：駐車場に於ける車両の入出庫管理装置
１１０：駐車券及び駐車料金事前支払済証認識手段
１１１：駐車時間演算手段
１１２：駐車料金演算手段
１１３：駐車料金比較演算手段
１３４：駐車料金事前支払済証回収保管手段
１３４：駐車券・駐車料金事前支払済証回収手段
１５１：駐車時間演算手段
１５２：駐車料金演算手段
１５３：駐車料金比較演算手段
１５４：入金状況表示手段
１５５：釣銭供給手段
１５６：駐車料金事前支払済証発行手段
１５７：印刷・記録手段
１５９：領収書発行手段
１６０：領収書発行指示手段
１６１：不足駐車料金支払指示手段
１６２：つり銭返却指示手段
１９９：駐車券挿入手段
２００：平板状のカード基
２０３：上書き印刷表示部
２０４：フォーマット部
２１０：平板状カード基板部材識別手段
２１１：平板状カード基板部材識別結果表示手段
２２０：平板状カード基板部材回収・出庫ゲート開放指示手段
２２１：指定期間パス券有効性判別手段
２２２：指定期間パス券有効・無効表示手段
２２４：超過駐車料金演算手段
２２５：追加駐車料金表示手段
２３０：カード挿入手段
２３２：精算状態表示手段
２４０：追加料金入金受入手段
２４２：比較演算結果表示手段
２４４：つり銭供給手段
２４５：領収書発行手段
２４６：出庫情報記録・印刷手段
２５０：指定期間パス券発券要求手段
２５１：指定期間パス券リスト表示手段
２５２：指定期間パス券選択手段
２５３：選択指定期間パス券料金表示手段
２５４：選択指定期間パス券料金入金受入手段
２５５：入金された金額と選択された指定期間パス券料金との差分演算手段
２５６：差分演算表示手段
２５７、２５７’ ：パス券発行指示手段
２５８：印刷手段
２５９：領収書発行手段
２６０：指定期間パス券発行
２６１：つり銭金額表示手段
２６２：つり銭供給手段
２６４：有効期限設定手段
２６５：領収書発行手段
３００：制御装置（ＣＴＲ）
３０１：第１の記憶手段で
３０２：キーボード手段
３０３：配線
３０４：時計装置
３０５：第２の記憶手段  
４５０：指定期間パス券有効性／無効性判別結果表示手段
【図１】
2019139335.tif 000003
【図２】
2019139335.tif 000004
【図３】
2019139335.tif 000005
【図４】
2019139335.tif 000006
【図５】
2019139335.tif 000007
【図６】
2019139335.tif 000008
【図７】
2019139335.tif 000009
【図８】
2019139335.tif 000010
【図９】
2019139335.tif 000011
【図１０】
2019139335.tif 000012
【図１１】
2019139335.tif 000013
【図１２】
2019139335.tif 000014
【図１３】
2019139335.tif 000015
【図１４】
2019139335.tif 000016
【図１５】
2019139335.tif 000017
【図１６】
2019139335.tif 000018
【図１７】
2019139335.tif 000019
【図１８】
2019139335.tif 000020
【図１９】
2019139335.tif 000021
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置の内、少なくとも
、当該入庫ゲート装置の近傍には、個々の車両の入庫時毎に、当該車両の入庫年月日時刻情報を記録した時間貸し駐車券のみを発行する、時間貸し駐車券取り出し手段を含む、時間貸し駐車券発行手段と当該時間貸し駐車券発行手段と一体的に設けられている、後述する様な、駐車許容時間を指定する指定時間パス券を挿入する指定時間パス券挿入手段と、当該挿入された指定時間パス券の有効性及び出庫済みフラグの有無から使用可能な指定時間パス券か否かを判定する判定手段と、当該指定時間パス券が使用可能な指定時間パス券である場合に当該指定時間パス券をその所有者に返却する返却手段とからなる指定時間パス券処理手段とが配置されており、且つ、当該時間貸し駐車券発行手段若しくは当該指定時間パス券処理手段から当該時間貸し駐車券若しくは当該指定時間パス券が使用者により引き取られた場合に、当該入庫ゲート装置が開放される様に構成されており、
一方、当該出庫ゲート装置の近傍には、個々の車両の出庫時毎に、当該車両のユーザーから提供される当該時間貸し駐車券若しくは、後述する駐車料金事前支払済証が挿入される時間貸し駐車券若しくは駐車料金事前支払済証挿入手段を含み、且つ、当該時間貸し駐車券若しくは駐車料金事前支払済証挿入手段に受け入れられた当該時間貸し駐車券から、当該車両が入庫した年月日時刻情報と当該車両が当該駐車場を出庫する出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が認識された場合に、当該出庫ゲートを開放する様に構成された出庫管理操作手段が配置されており、
更に、当該入庫ゲート装置と当該出庫ゲート装置との何れにも近接していない任意の部位には、当該車両の出庫予定時間の直前、若しくは予め設定された時間以前に、当該車両のユーザーから提供される当該時間貸し駐車券を受け入れる時間貸し駐車券挿入手段を含み、当該挿入された当該時間貸し駐車券が保持する当該車両が入庫した入庫年月日時刻情報と当該車両が当該駐車場から出庫する予定日の出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を、当該車両のユーザーから既に提供されている当該時間貸し駐車券そのものを上書処理して駐車料金事前支払済証として発行する駐車料金事前支払済証発行手段を含む事前駐車料金精算手段と、が設けられている車両の入出庫管理装置に於いて、
当該事前駐車料金精算手段には、更に、当該車両のユーザーが所有する当該時間貸し駐車券を当該時間貸し駐車券挿入手段に挿入する前又は挿入後に、当該車両のユーザーが、当該事前駐車料金精算処理を行う以前の段階で、当該ユーザーが任意に、且つ当該ユーザーの好みに応じて、許容される駐車時間をそれぞれ異にする、複数の指定時間パス券の中から一つの指定時間パス券を任意に選択指定出来る指定時間パス券選択手段と、当該指定時間パス券選択手段の動作に応答して、当該選択された指定時間パス券の購入価格を表示する指定時間パス券価格表示手段と、当該指定時間パス券価格表示手段に表示された当該指定時間パス券価格料金に相当する料金の入金受入手段と、当該入金受入手段に当該指定時間パス券価格料金の入金が有ったとの判断があった場合に、当該車両のユーザーから既に提供されている当該時間貸し駐車券そのものを上書処理して指定時間パス券に書換変更して当該車両のユーザー返却する機能を有する指定時間パス券発券手段とが設けられていると共に、
当該出庫管理操作手段には、更に、当該指定時間パス券の挿入手段（当該時間貸し駐車券若しくは駐車料金事前支払済証挿入手段が兼用されるものであっても良い）及び、当該指定時間パス券に対する認識手段が付加されており、当該指定時間パス券が提供された場合には、当該指定時間パス券の有効期限年月日時刻情報から当該指定時間パス券が有効か否かを判断し、有効である場合のみ、当該指定時間パス券に出庫状態を示すフラグを記載して、当該指定時間パス券を当該車両のユーザー返却し、その後、当該出庫ゲートを開放する操作を実行する手段が含まれている様に構成されており、且つ、当該入庫ゲート装置、当該出庫ゲート装置及び当該当該事前駐車料金精算手段の内の少なくとも一つには、不要若しくは無効となった当該時間貸し駐車券及び当該駐車料金事前支払済証或いは指定時間経過後の当該指定期間パス券を、再利用のために回収するカード基板回収手段とそれに連動されたカード基板供給手段とが更に設けられていることを特徴とする駐車場に於ける車両の入出庫管理装置。
【請求項２】
当該時間貸し駐車券には、当該時間貸し駐車券のシリアルナンバーと、車両の入庫年月日時刻情報及び入出庫状態フラグ情報の少なくともいずれかが記録されている事を特徴とする請求項１に記載の車両の入出庫管理装置。
【請求項３】
当該指定時間パス券には、元の時間貸し駐車券の発券時のシリアルナンバーと、元の時間貸し駐車券の発券時の入庫年月日時刻情報と元の時間貸し駐車券に於ける入出庫状態フラグ情報並びに、当該元の時間貸し駐車券を当該指定時間パス券に上書き変更処理する時点迄の駐車時間に対応する駐車料金の額の情報が記載されていると共に、当該指定時間パス券識別フラグ情報及び当該指定時間パス券の有効期限情報とが記録されている事を特徴とする請求項１又は２に記載の車両の入出庫管理装置。
【請求項４】
当該出庫管理操作手段には、更に、当該車両のユーザーから提供された当該指定時間パス券の有効期限が期限超過により無効であると判断された場合に於いて、当該指定時間パス券が当該出庫管理操作手段に提供された時点での年月日時刻情報と当該指定時間パス券の最終有効期限年月日時刻情報との差分を求め、当該差分値に相当する超過駐車料金を算出する演算手段と、当該算出された超過駐車料金を表示する為に当該出庫管理操作手段に別途設けられた当該超過駐車料金表示手段と、当該超過駐車料金に相当する料金の入金受入手段と、当該入金受入手段に当該超過駐車料金に相当する料金の入金が有ったとの判断があった場合に、当該出庫ゲートを開放する操作を実行する出庫ゲート開放手段とが設けられていることを特徴とする事を特徴とする請求項１乃至３の何れかに記載の駐車場に於ける車両の入出庫管理装置。
【請求項５】
当該駐車券取り出し手段を含む当該駐車券発行手段に、当該指定時間パス券を受入れる指定時間パス券挿入手段と、当該指定時間パス券挿入手段に、新たに当該指定時間パス券が挿入された時点での年月日時刻情報と、当該指定時間パス券が保持している当該指定時間パス券の有効期限年月日時刻情報とを比較して、当該新たに挿入されてきた当該指定時間パス券が有効であるか否かを判断する指定時間パス券有効性判定手段とが更に設けられており、当該有効性判定手段に於いて、当該指定時間パス券が有効と判断された場合に限り、当該指定時間パス券を当該車両のユーザーに返却する指定時間パス券返却手段と当該入庫ゲートを開放する為の入庫指示手段とが設けられている事を特徴とする請求項１乃至４の何れかに記載の駐車場に於ける車両の入出庫管理装置。
【請求項６】
少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置の内には、少なくとも
、当該入庫ゲート装置の近傍には、個々の車両の入庫時毎に、当該車両の入庫年月日時刻情報を記録した時間貸し駐車券のみを発行する、時間貸し駐車券取り出し手段を含む、時間貸し駐車券発行手段と当該時間貸し駐車券発行手段と一体的に設けられている、後述する様な、駐車許容時間を指定する指定時間パス券を挿入する指定時間パス券挿入手段と、当該挿入された指定時間パス券の有効性及び出庫済みフラグの有無から使用可能な指定時間パス券か否かを判定する判定手段と、当該指定時間パス券が使用可能な指定時間パス券である場合に当該指定時間パス券をその所有者に返却する返却手段とからなる指定時間パス券処理手段とが配置されており、且つ、当該時間貸し駐車券発行手段若しくは当該指定時間パス券処理手段から当該時間貸し駐車券若しくは当該指定時間パス券が使用者により引き取られた場合に、当該入庫ゲート装置が開放される様に構成されており、
一方、当該出庫ゲート装置の近傍には、個々の車両の出庫時毎に、当該車両のユーザーから提供される当該時間貸し駐車券若しくは、後述する駐車料金事前支払済証が挿入される時間貸し駐車券若しくは駐車料金事前支払済証挿入手段を含み、且つ、当該時間貸し駐車券若しくは駐車料金事前支払済証挿入手段に受け入れられた当該時間貸し駐車券から、当該車両が入庫した年月日時刻情報と当該車両が当該駐車場を出庫する出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が認識された場合に、当該出庫ゲートを開放する様に構成された出庫管理操作手段が配置されており、
更に、当該入庫ゲート装置と当該出庫ゲート装置との何れにも近接していない任意の部位には、当該車両の出庫予定時間の直前、若しくは予め設定された時間以前に、当該車両のユーザーから提供される当該時間貸し駐車券を受け入れる時間貸し駐車券挿入手段を含み、当該挿入された当該時間貸し駐車券が保持する当該車両が入庫した入庫年月日時刻情報と当該車両が当該駐車場から出庫する予定日の出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を、当該車両のユーザーから既に提供されている当該時間貸し駐車券そのものを上書処理して駐車料金事前支払済証として発行する駐車料金事前支払済証発行手段を含む事前駐車料金精算手段と、が設けられている車両の入出庫管理装置に於いて、
当該車両のユーザーが、既に所有する当該時間貸し駐車券を当該事前駐車料金精算手段に於ける当該駐車券挿入手段内に挿入する際に、当該車両のユーザー好みにより、複数の指定時間パス券の中から一つの指定時間パス券を任意に選択指定出来る様に構成されている指定時間パス券選択手段を、当該車両のユーザーが自己の意思により選択的に操作する第１の工程、当該第１の工程の後に、当該車両のユーザーが、当該事前駐車料金精算手段に別途設けられている指定時間パス券表示手段に表示される当該選択された指定時間パス券の購入価格に相当する料金の支払いを実行させる第２の工程、当該第２の工程に引き続き、当該車両のユーザーが、当該指定時間パス券の購入価格に相当する料金の支払いを完了させた場合には、当該車両のユーザーが既に所有し、且つ当該駐車券挿入手段内に挿入された当該時間貸し駐車券を、そのまま使用して、当該時間貸し駐車券が既に記憶している当該車両の入庫年月日時刻情報を維持したまま、当該車両の当該入庫年月日時刻情報を起算時刻とする指定時間の有効期限年月日時刻情報を持った指定時間パス券として上書き変更処理する第３の工程、当該指定時間パス券を当該車両のユーザーに返却する第４の工程、当該車両のユーザーが当該出庫ゲート手段の当該駐車券若しくは当該駐車料金事前支払済証の挿入手段に当該指定時間パス券を挿入する第５の工程、当該出庫管理操作手段に別途設けられている当該指定時間パス券識別手段に於いて、当該指定時間パス券の有効期限を判定する第６の工程、当該第６の工程に於いて、当該指定時間パス券の有効期限が未だ有効であると判断された場合にのみ当該指定時間パス券に出庫状態を示す出庫情報フラグを記憶させたのち、当該指定時間パス券を当該車両のユーザーに返却した後、当該出庫ゲートのゲートを開放して、当該車両の出庫を許可する第７の工程、その後、当該車両のユーザーが同一駐車場に再入庫するに際して、当該車両のユーザーが、当該入庫ゲート装置に別途に設けられている当該駐車券発券手段に於ける指定時間パス券挿入手段に、当該指定時間パス券を挿入する第８の工程、当該駐車券発券手段に別途に設けられた当該指定時間パス券認識手段において、当該指定時間パス券の有効期限が有効であるか否か及び当該出庫譲情報フラグが出庫状態を記憶しているか否かを判断し、当該有効期限が有効であり、且つ当該出庫フラグが出庫済みであるという情報を有していると判断された場合にのみ、当該指定時間パス券に、再入庫時の再入庫年月日時刻情報を追加記録して、当該指定時間パス券を当該車両のユーザーに返却する第９の工程、当該車両のユーザーが出庫する際に、当該車両１のユーザーが、当該指定時間パス券を当該出庫管理操作手段に於ける、当該駐車券若しくは当該駐車料金事前支払済証の挿入手段に挿入する第１０の工程、当該出庫管理操作手段に別途設けられている当該指定時間パス券識別手段に於いて、当該指定時間パス券の有効期限を判定する第１１の工程、当該第１１の工程に於いて、当該指定時間パス券の有効期限が未だ有効であると判断された場合にのみ当該指定時間パス券に出庫状態を示す出庫フラグを記憶させた後に当該車両のユーザーに返却した後、当該出庫ゲートのゲートを開放して、当該車両の出庫を許可する第１２の工程、その後、当該指定時間パス券の有効期限が無効と判断される時点まで、当該第８の工程乃至当該第１２の工程までの各工程が繰り返えされることを許可する第１３の工程と、当該第１１の工程に於いて、当該指定時間パス券の有効期限が無効であると判断された場合には、別途演算される超過駐車料金を支払って、要すれば、当該駐車料金事前支払い済み証を発行してもらう第１４の工程と、不要若しくは無効となった当該時間貸し駐車券及び当該駐車料金事前支払済証或いは指定時間経過後の当該指定期間パス券を、再利用のために回収する当該カード基板回収手段とそれに連動されたカード基板供給手段に回収する第１５の工程と、当該時間貸し駐車券を所有するユーザーが、直接当該出庫ゲート装置に於いて、当該時間貸し駐車券を当該出庫ゲート装置に挿入し、当該時間貸し駐車券の有効性の判断を経て、決定された駐車料金を納付して出庫ゲートを開放する第１６の工程と、当該時間貸し駐車券を所有するユーザーが、当該事前駐車料金精算手段に於いて、当該時間貸し駐車券を当該事前駐車料金精算手段に挿入し、当該時間貸し駐車券の有効性の判断を経て、決定された駐車料金を納付した後に、当該時間貸し駐車券そのものを上書処理して書き換えられた当該駐車料金事前支払済証を取得し、当該ユーザーが当該駐車料金事前支払済証を当該出庫ゲート装置に挿入することにより出庫ゲートを開放する第１７の工程、とから構成されている事を特徴とする車両の入出庫管理方法。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置の内、少なくとも
、当該入庫ゲート装置の近傍には、個々の車両の入庫時毎に、当該車両の入庫年月日時刻情報を記録した時間貸し駐車券のみを発行する、時間貸し駐車券取り出し手段を含む、時間貸し駐車券発行手段と当該時間貸し駐車券発行手段と一体的に設けられている、後述する様な、駐車許容時間を指定する指定時間パス券を挿入する指定時間パス券挿入手段と、当該挿入された指定時間パス券の有効性及び出庫済みフラグの有無から使用可能な指定時間パス券か否かを判定する判定手段と、当該指定時間パス券が使用可能な指定時間パス券である場合に当該指定時間パス券をその所有者に返却する返却手段とからなる指定時間パス券処理手段とが配置されており、且つ、当該時間貸し駐車券発行手段若しくは当該指定時間パス券処理手段から当該時間貸し駐車券若しくは当該指定時間パス券が使用者により引き取られた場合に、当該入庫ゲート装置が開放される様に構成されており、
一方、当該出庫ゲート装置の近傍には、個々の車両の出庫時毎に、当該車両のユーザーから提供される当該時間貸し駐車券若しくは、後述する駐車料金事前支払済証が挿入される時間貸し駐車券若しくは駐車料金事前支払済証挿入手段を含み、且つ、当該時間貸し駐車券若しくは駐車料金事前支払済証挿入手段に受け入れられた当該時間貸し駐車券から、当該車両が入庫した年月日時刻情報と当該車両が当該駐車場を出庫する出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が認識された場合に、当該出庫ゲートを開放する様に構成された出庫管理操作手段が配置されており、
更に、当該入庫ゲート装置と当該出庫ゲート装置との何れにも近接していない任意の部位には、当該車両の出庫予定時間の直前、若しくは予め設定された時間以前に、当該車両のユーザーから提供される当該時間貸し駐車券を受け入れる時間貸し駐車券挿入手段を含み、当該挿入された当該時間貸し駐車券が保持する当該車両が入庫した入庫年月日時刻情報と当該車両が当該駐車場から出庫する予定日の出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を、当該車両のユーザーから既に提供されている当該時間貸し駐車券そのものを上書処理して駐車料金事前支払済証として発行する駐車料金事前支払済証発行手段を含む事前駐車料金精算手段と、が設けられている車両の入出庫管理装置に於いて、
当該事前駐車料金精算手段には、更に、当該車両のユーザーが所有する当該時間貸し駐車券を当該時間貸し駐車券挿入手段に挿入する前又は挿入後に、当該車両のユーザーが、当該事前駐車料金精算処理を行う以前の段階で、当該ユーザーが任意に、且つ当該ユーザーの好みに応じて、許容される駐車時間をそれぞれ異にする、複数の指定時間パス券の中から一つの指定時間パス券を任意に選択指定出来る指定時間パス券選択手段と、当該指定時間パス券選択手段の動作に応答して、当該選択された指定時間パス券の購入価格を表示する指定時間パス券価格表示手段と、当該指定時間パス券価格表示手段に表示された当該指定時間パス券価格料金に相当する料金の入金受入手段と、当該入金受入手段に当該指定時間パス券価格料金の入金が有ったとの判断があった場合に、当該車両のユーザーから既に提供されている当該時間貸し駐車券そのものを上書処理して指定時間パス券に書換変更して当該車両のユーザー返却する機能を有する指定時間パス券発券手段とが設けられていると共に、
当該出庫管理操作手段には、更に、当該指定時間パス券の挿入手段（当該時間貸し駐車券若しくは駐車料金事前支払済証挿入手段が兼用されるものであっても良い）及び、当該指定時間パス券に対する認識手段が付加されており、当該指定時間パス券が提供された場合には、当該指定時間パス券の有効期限年月日時刻情報から当該指定時間パス券が有効か否かを判断し、有効である場合のみ、当該指定時間パス券に出庫状態を示すフラグを記載して、当該指定時間パス券を当該車両のユーザー返却し、その後、当該出庫ゲートを開放する操作を実行する手段が含まれている様に構成されており、且つ、当該入庫ゲート装置、当該出庫ゲート装置及び当該当該事前駐車料金精算手段の内の少なくとも一つには、不要若しくは無効となった当該時間貸し駐車券及び当該駐車料金事前支払済証或いは指定時間経過後の当該指定期間パス券を、再利用のために回収するカード基板回収手段とそれに連動されたカード基板供給手段とが更に設けられていることを特徴とする駐車場に於ける車両の入出庫管理装置。
【請求項２】
当該時間貸し駐車券には、当該時間貸し駐車券のシリアルナンバーと、車両の入庫年月日時刻情報及び入出庫状態フラグ情報の少なくともいずれかが記録されている事を特徴とする請求項１に記載の車両の入出庫管理装置。
【請求項３】
当該指定時間パス券には、元の時間貸し駐車券の発券時のシリアルナンバーと、元の時間貸し駐車券の発券時の入庫年月日時刻情報と元の時間貸し駐車券に於ける入出庫状態フラグ情報並びに、当該元の時間貸し駐車券を当該指定時間パス券に上書き変更処理する時点迄の駐車時間に対応する駐車料金の額の情報が記載されていると共に、当該指定時間パス券識別フラグ情報及び当該指定時間パス券の有効期限情報とが記録されている事を特徴とする請求項１又は２に記載の車両の入出庫管理装置。
【請求項４】
当該出庫管理操作手段には、更に、当該車両のユーザーから提供された当該指定時間パス券の有効期限が期限超過により無効であると判断された場合に於いて、当該指定時間パス券が当該出庫管理操作手段に提供された時点での年月日時刻情報と当該指定時間パス券の最終有効期限年月日時刻情報との差分を求め、当該差分値に相当する超過駐車料金を算出する演算手段と、当該算出された超過駐車料金を表示する為に当該出庫管理操作手段に別途設けられた当該超過駐車料金表示手段と、当該超過駐車料金に相当する料金の入金受入手段と、当該入金受入手段に当該超過駐車料金に相当する料金の入金が有ったとの判断があった場合に、当該出庫ゲートを開放する操作を実行する出庫ゲート開放手段とが設けられていることを特徴とする事を特徴とする請求項１乃至３の何れかに記載の駐車場に於ける車両の入出庫管理装置。
【請求項５】
当該駐車券取り出し手段を含む当該駐車券発行手段に、当該指定時間パス券を受入れる指定時間パス券挿入手段と、当該指定時間パス券挿入手段に、新たに当該指定時間パス券が挿入された時点での年月日時刻情報と、当該指定時間パス券が保持している当該指定時間パス券の有効期限年月日時刻情報とを比較して、当該新たに挿入されてきた当該指定時間パス券が有効であるか否かを判断する指定時間パス券有効性判定手段とが更に設けられており、当該有効性判定手段に於いて、当該指定時間パス券が有効と判断された場合に限り、当該指定時間パス券を当該車両のユーザーに返却する指定時間パス券返却手段と当該入庫ゲートを開放する為の入庫指示手段とが設けられている事を特徴とする請求項１乃至４の何れかに記載の駐車場に於ける車両の入出庫管理装置。
【請求項６】
少なくとも、車両が駐車場に入庫する為の入庫ゲート装置と当該車両が当該駐車場から出庫する為の出庫ゲート装置とが設けられている駐車場に於ける車両の入出庫管理装置であって、当該車両の入出庫管理装置の内には、少なくとも
、当該入庫ゲート装置の近傍には、個々の車両の入庫時毎に、当該車両の入庫年月日時刻情報を記録した時間貸し駐車券のみを発行する、時間貸し駐車券取り出し手段を含む、時間貸し駐車券発行手段と当該時間貸し駐車券発行手段と一体的に設けられている、後述する様な、駐車許容時間を指定する指定時間パス券を挿入する指定時間パス券挿入手段と、当該挿入された指定時間パス券の有効性及び出庫済みフラグの有無から使用可能な指定時間パス券か否かを判定する判定手段と、当該指定時間パス券が使用可能な指定時間パス券である場合に当該指定時間パス券をその所有者に返却する返却手段とからなる指定時間パス券処理手段とが配置されており、且つ、当該時間貸し駐車券発行手段若しくは当該指定時間パス券処理手段から当該時間貸し駐車券若しくは当該指定時間パス券が使用者により引き取られた場合に、当該入庫ゲート装置が開放される様に構成されており、
一方、当該出庫ゲート装置の近傍には、個々の車両の出庫時毎に、当該車両のユーザーから提供される当該時間貸し駐車券若しくは、後述する駐車料金事前支払済証が挿入される時間貸し駐車券若しくは駐車料金事前支払済証挿入手段を含み、且つ、当該時間貸し駐車券若しくは駐車料金事前支払済証挿入手段に受け入れられた当該時間貸し駐車券から、当該車両が入庫した年月日時刻情報と当該車両が当該駐車場を出庫する出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合、若しくは、当該駐車料金事前支払済証の挿入が認識された場合に、当該出庫ゲートを開放する様に構成された出庫管理操作手段が配置されており、
更に、当該入庫ゲート装置と当該出庫ゲート装置との何れにも近接していない任意の部位には、当該車両の出庫予定時間の直前、若しくは予め設定された時間以前に、当該車両のユーザーから提供される当該時間貸し駐車券を受け入れる時間貸し駐車券挿入手段を含み、当該挿入された当該時間貸し駐車券が保持する当該車両が入庫した入庫年月日時刻情報と当該車両が当該駐車場から出庫する予定日の出庫年月日時刻情報とから別途決定される当該車両の駐車時間に対応する駐車料金を表示する駐車料金表示手段と、当該駐車料金表示手段に表示された当該駐車料金に相当する駐車料金の入金受入手段と、当該入金受入手段に当該駐車料金の入金が有ったとの判定があった場合に、当該駐車料金に対する駐車料金事前支払済証を、当該車両のユーザーから既に提供されている当該時間貸し駐車券そのものを上書処理して駐車料金事前支払済証として発行する駐車料金事前支払済証発行手段を含む事前駐車料金精算手段と、が設けられている車両の入出庫管理装置に於いて、
当該車両のユーザーが、既に所有する当該時間貸し駐車券を当該事前駐車料金精算手段に於ける当該駐車券挿入手段内に挿入する際に、当該車両のユーザー好みにより、複数の指定時間パス券の中から一つの指定時間パス券を任意に選択指定出来る様に構成されている指定時間パス券選択手段を、当該車両のユーザーが自己の意思により選択的に操作する第１の工程、当該第１の工程の後に、当該車両のユーザーが、当該事前駐車料金精算手段に別途設けられている指定時間パス券表示手段に表示される当該選択された指定時間パス券の購入価格に相当する料金の支払いを実行させる第２の工程、当該第２の工程に引き続き、当該車両のユーザーが、当該指定時間パス券の購入価格に相当する料金の支払いを完了させた場合には、当該車両のユーザーが既に所有し、且つ当該駐車券挿入手段内に挿入された当該時間貸し駐車券を、そのまま使用して、当該時間貸し駐車券が既に記憶している当該車両の入庫年月日時刻情報を維持したまま、当該車両の当該入庫年月日時刻情報を起算時刻とする指定時間の有効期限年月日時刻情報を持った指定時間パス券として上書き変更処理する第３の工程、当該指定時間パス券を当該車両のユーザーに返却する第４の工程、当該車両のユーザーが当該出庫ゲート手段の当該駐車券若しくは当該駐車料金事前支払済証の挿入手段に当該指定時間パス券を挿入する第５の工程、当該出庫管理操作手段に別途設けられている当該指定時間パス券識別手段に於いて、当該指定時間パス券の有効期限を判定する第６の工程、当該第６の工程に於いて、当該指定時間パス券の有効期限が未だ有効であると判断された場合にのみ当該指定時間パス券に出庫状態を示す出庫情報フラグを記憶させたのち、当該指定時間パス券を当該車両のユーザーに返却した後、当該出庫ゲートのゲートを開放して、当該車両の出庫を許可する第７の工程、その後、当該車両のユーザーが同一駐車場に再入庫するに際して、当該車両のユーザーが、当該入庫ゲート装置に別途に設けられている当該駐車券発券手段に於ける指定時間パス券挿入手段に、当該指定時間パス券を挿入する第８の工程、当該駐車券発券手段に別途に設けられた当該指定時間パス券認識手段において、当該指定時間パス券の有効期限が有効であるか否か及び当該出庫譲情報フラグが出庫状態を記憶しているか否かを判断し、当該有効期限が有効であり、且つ当該出庫フラグが出庫済みであるという情報を有していると判断された場合にのみ、当該指定時間パス券に、再入庫時の再入庫年月日時刻情報を追加記録して、当該指定時間パス券を当該車両のユーザーに返却する第９の工程、当該車両のユーザーが出庫する際に、当該車両１のユーザーが、当該指定時間パス券を当該出庫管理操作手段に於ける、当該駐車券若しくは当該駐車料金事前支払済証の挿入手段に挿入する第１０の工程、当該出庫管理操作手段に別途設けられている当該指定時間パス券識別手段に於いて、当該指定時間パス券の有効期限を判定する第１１の工程、当該第１１の工程に於いて、当該指定時間パス券の有効期限が未だ有効であると判断された場合にのみ当該指定時間パス券に出庫状態を示す出庫フラグを記憶させた後に当該車両のユーザーに返却した後、当該出庫ゲートのゲートを開放して、当該車両の出庫を許可する第１２の工程、その後、当該指定時間パス券の有効期限が無効と判断される時点まで、当該第８の工程乃至当該第１２の工程までの各工程が繰り返えされることを許可する第１３の工程と、当該第１１の工程に於いて、当該指定時間パス券の有効期限が無効であると判断された場合には、別途演算される超過駐車料金を支払って、要すれば、当該駐車料金事前支払い済み証を発行してもらう第１４の工程と、不要若しくは無効となった当該時間貸し駐車券及び当該駐車料金事前支払済証或いは指定時間経過後の当該指定期間パス券を、再利用のために回収する当該カード基板回収手段とそれに連動されたカード基板供給手段に回収する第１５の工程と、当該時間貸し駐車券を所有するユーザーが、直接当該出庫ゲート装置に於いて、当該時間貸し駐車券を当該出庫ゲート装置に挿入し、当該時間貸し駐車券の有効性の判断を経て、決定された駐車料金を納付して出庫ゲートを開放する第１６の工程と、当該時間貸し駐車券を所有するユーザーが、当該事前駐車料金精算手段に於いて、当該時間貸し駐車券を当該事前駐車料金精算手段に挿入し、当該時間貸し駐車券の有効性の判断を経て、決定された駐車料金を納付した後に、当該時間貸し駐車券そのものを上書処理して書き換えられた当該駐車料金事前支払済証を取得し、当該ユーザーが当該駐車料金事前支払済証を当該出庫ゲート装置に挿入することにより出庫ゲートを開放する第１７の工程、の各工程を実行する事を特徴とする車両の入出庫管理方法。